(57)【要約】【課題】匿名性と正確性を両立させることができるようにする。【解決手段】情報処理システムは、薬歴情報を管理する情報処理装置を有している。情報処理装置は、情報を送信および受信する通信部と、互いに対応付けられた、ユーザを識別する個人識別情報とユーザの薬歴情報とを含む対象者情報を記録する記録部と、制御部とを有する。制御部は、対象者情報および選別情報に基づいて送信情報の送信対象とするユーザを抽出し、通信部により、抽出されたユーザに対応する端末装置に送信情報を送信するよう制御する。本技術は、情報処理システムに適用することができる。【選択図】図１
2020187789.tif 000002
【特許請求の範囲】
【請求項１】
情報を送信および受信する通信部と、
互いに対応付けられた、ユーザを識別する個人識別情報と前記ユーザの薬歴情報とを含む対象者情報を記録する記録部と、
制御部とを有し、
前記制御部は、
前記対象者情報および選別情報に基づいて送信情報の送信対象とする前記ユーザを抽出し、
前記通信部により、抽出された前記ユーザに対応する端末装置に前記送信情報を送信するよう制御する
情報処理装置。
【請求項２】
前記送信情報は、通知情報またはアンケート情報である
請求項１に記載の情報処理装置。
【請求項３】
前記対象者情報には、前記ユーザ自身に関する情報が含まれている
請求項１に記載の情報処理装置。
【請求項４】
前記ユーザ自身に関する情報は、前記ユーザの誕生年または性別である
請求項３に記載の情報処理装置。
【請求項５】
前記薬歴情報には、処方箋交付医療機関名、処方箋交付日、処方薬の名称、調剤日、処方日数、服用方法、または服用量が含まれる
請求項１に記載の情報処理装置。
【請求項６】
前記記録部は、前記ユーザが前記送信情報の受信を希望するか否かを示す設定情報をさらに記録し、
前記制御部は、前記設定情報、前記対象者情報、および前記選別情報に基づいて前記ユーザを抽出する
請求項１に記載の情報処理装置。
【請求項７】
前記選別情報は、所定期間内に特定の薬剤を服用した前記ユーザを抽出条件とする情報である
請求項１に記載の情報処理装置。
【請求項８】
前記選別情報は、所定年数内に特定の薬局または医療機関を利用した前記ユーザを抽出条件とする情報である
請求項１に記載の情報処理装置。
【請求項９】
前記選別情報は、特定の薬剤の服用を開始してから所定日数が経過した前記ユーザを抽出条件とする情報である
請求項１に記載の情報処理装置。
【請求項１０】
前記選別情報には、カテゴリごとの抽出人数を指定する情報が含まれている
請求項１に記載の情報処理装置。
【請求項１１】
前記制御部は、前記通信部により前記送信情報としてのアンケート情報を送信した場合、前記通信部により前記アンケート情報に対する回答情報を前記端末装置から受信するよう制御する
請求項１に記載の情報処理装置。
【請求項１２】
前記制御部は、前記回答情報に基づいて集計処理をさらに行う
請求項１１に記載の情報処理装置。
【請求項１３】
前記制御部は、入力端末装置により生成された前記送信情報を前記通信部により受信するよう制御する
請求項１に記載の情報処理装置。
【請求項１４】
前記制御部は、前記通信部により、前記入力端末装置により生成された前記送信情報を管理者端末装置に送信するよう制御するとともに、前記送信情報を送信可能か否かを前記管理者端末装置に対して確認するよう要求する
請求項１３に記載の情報処理装置。
【請求項１５】
前記制御部は、前記通信部により前記選別情報を前記入力端末装置から受信した場合、前記通信部により、抽出された前記ユーザの数を前記入力端末装置に送信するよう制御する
請求項１３に記載の情報処理装置。
【請求項１６】
情報を送信および受信する通信部と、
互いに対応付けられた、ユーザを識別する個人識別情報と前記ユーザの薬歴情報とを含む対象者情報を記録する記録部と、
制御部とを有する情報処理装置の情報処理方法であって、
前記制御部が、
前記対象者情報および選別情報に基づいて送信情報の送信対象とする前記ユーザを抽出し、
前記通信部により、抽出された前記ユーザに対応する端末装置に前記送信情報を送信するよう制御する
ステップを含む情報処理方法。
【請求項１７】
情報を送信および受信する通信部と、
互いに対応付けられた、ユーザを識別する個人識別情報と前記ユーザの薬歴情報とを含む対象者情報を記録する記録部とを有する情報処理装置を制御するコンピュータに、
前記対象者情報および選別情報に基づいて送信情報の送信対象とする前記ユーザを抽出し、
前記通信部により、抽出された前記ユーザに対応する端末装置に前記送信情報を送信するよう制御する
ステップを含む処理を実行させるプログラム。
【請求項１８】
送信情報および選別情報を生成する入力端末装置と、前記送信情報を送信する薬歴管理装置とを有する情報処理システムであって、
前記入力端末装置は、
情報を送信および受信する第１の通信部と、
前記送信情報および前記選別情報を生成する第１の制御部と
を有し、
前記薬歴管理装置は、
情報を送信および受信する第２の通信部と、
互いに対応付けられた、ユーザを識別する個人識別情報と前記ユーザの薬歴情報とを含む対象者情報を記録する記録部と、
第２の制御部と
を有し、
前記第１の制御部は、前記第１の通信部により前記送信情報および前記選別情報を前記薬歴管理装置に送信するよう制御し、
前記第２の制御部は、
前記第２の通信部により前記送信情報および前記選別情報を受信するよう制御し、
前記対象者情報および前記選別情報に基づいて前記送信情報の送信対象とする前記ユーザを抽出し、
前記第２の通信部により、抽出された前記ユーザに対応する端末装置に前記送信情報を送信するよう制御する
情報処理システム。
【発明の詳細な説明】
【技術分野】
【０００１】
本技術は情報処理装置および方法、情報処理システム、並びにプログラムに関し、特に、匿名性と正確性を両立させることができるようにした情報処理装置および方法、情報処理システム、並びにプログラムに関する。
【背景技術】
【０００２】
例えば医療において、注射や手術といった医療者自身による治療に比べて、患者自身による服薬は、今後ひっ迫することが自明となっている医療資源をあまり消費しない有用な治療方法である。
【０００３】
しかし、急性疾患が多かった従来の医療に比べ、現代の医療においては生活習慣病の割合が増加している。生活習慣病では、急性疾患に比べると、患者が処方された薬を服用しないことが多く、それが原因で症状が悪化し、適切に服薬した場合と比べてより多くの医療資源を消費する結果を招いている。
【０００４】
例えば糖尿病などでは、あまり自覚症状のない時点で治療薬を適切に服薬していれば悪化していなかったのに、服薬をしなかったがために症状が悪化し、透析や入院をすることになってしまうと、医療資源の消費量は飛躍的に跳ね上がってしまう。このことから、服薬率（アドヒアランス）の向上が求められている。
【０００５】
一方で、生活習慣病の疾患にも様々な症状および薬剤があり、その服薬指導のタイミングは年代や薬剤によって異なっている。適確な服薬指導を行うには、患者の正確な個人情報が必要であるが、服薬歴のような要配慮な個人情報を扱うには管理コストが高くついてしまう。
【０００６】
なお、薬歴情報を管理する方法として、データサーバでは、ユーザ個人を直接特定可能な情報を保持せずに薬歴情報を管理することで、セキュリティを向上させる技術も提案されている（例えば、特許文献１参照）。
【先行技術文献】
【特許文献】
【０００７】
【特許文献１】特開２０１３−１０１５８５号公報
【発明の概要】
【発明が解決しようとする課題】
【０００８】
ところで、服薬中の患者に対しての通知やアンケートでは、医療機関における治療や調査のように、正確性は高いが、実際の個人情報との結びつきも強固な集団（パネル）に頼るか、もしくは逆にWebによる自己申告による情報で、匿名性は高いが正確性は担保されない集団（パネル）に頼ることが通例であった。
【０００９】
このような状態であると、前者の手法については、治療中の患者にとっては通知されるのに心理的障壁は少ないが、治療が終わった後にもアンケートが来るのは個人情報の目的外利用に近くなり、心理的障壁が大きい。すなわち、前者の手法では、正確性は高いが匿名性を確保することが困難であった。
【００１０】
一方、後者の手法では、自己申告であるため服薬についての詳しいデータがなく、正確性が担保されていないので、例えば「服薬して３日後」に通知を送るなど、特定のタイミングで通知やアンケートを送信することは難しい。
【００１１】
以上のように、上述した技術では、匿名性および正確性を両立させて通知やアンケートを行うことは困難であった。
【００１２】
本技術は、このような状況に鑑みてなされたものであり、匿名性と正確性を両立させることができるようにするものである。
【課題を解決するための手段】
【００１３】
本技術の第１の側面の情報処理装置は、情報を送信および受信する通信部と、互いに対応付けられた、ユーザを識別する個人識別情報と前記ユーザの薬歴情報とを含む対象者情報を記録する記録部と、制御部とを有し、前記制御部は、前記対象者情報および選別情報に基づいて送信情報の送信対象とする前記ユーザを抽出し、前記通信部により、抽出された前記ユーザに対応する端末装置に前記送信情報を送信するよう制御する。
【００１４】
本技術の第１の側面の情報処理方法またはプログラムは、情報を送信および受信する通信部と、互いに対応付けられた、ユーザを識別する個人識別情報と前記ユーザの薬歴情報とを含む対象者情報を記録する記録部とを有する情報処理装置の情報処理方法またはプログラムであって、前記対象者情報および選別情報に基づいて送信情報の送信対象とする前記ユーザを抽出し、前記通信部により、抽出された前記ユーザに対応する端末装置に前記送信情報を送信するよう制御するステップを含む。
【００１５】
本技術の第１の側面においては、情報を送信および受信する通信部と、互いに対応付けられた、ユーザを識別する個人識別情報と前記ユーザの薬歴情報とを含む対象者情報を記録する記録部とを有する情報処理装置において、前記対象者情報および選別情報に基づいて送信情報の送信対象とする前記ユーザが抽出され、前記通信部により、抽出された前記ユーザに対応する端末装置に前記送信情報を送信するよう制御される。
【００１６】
本技術の第２の側面の情報処理システムは、送信情報および選別情報を生成する入力端末装置と、前記送信情報を送信する薬歴管理装置とを有する情報処理システムであって、前記入力端末装置は、情報を送信および受信する第１の通信部と、前記送信情報および前記選別情報を生成する第１の制御部とを有し、前記薬歴管理装置は、情報を送信および受信する第２の通信部と、互いに対応付けられた、ユーザを識別する個人識別情報と前記ユーザの薬歴情報とを含む対象者情報を記録する記録部と、第２の制御部とを有し、前記第１の制御部は、前記第１の通信部により前記送信情報および前記選別情報を前記薬歴管理装置に送信するよう制御し、前記第２の制御部は、前記第２の通信部により前記送信情報および前記選別情報を受信するよう制御し、前記対象者情報および前記選別情報に基づいて前記送信情報の送信対象とする前記ユーザを抽出し、前記第２の通信部により、抽出された前記ユーザに対応する端末装置に前記送信情報を送信するよう制御する。
【００１７】
本技術の第２の側面の情報処理システムにおいては、送信情報および選別情報を生成する入力端末装置と、前記送信情報を送信する薬歴管理装置とを有し、前記入力端末装置が、情報を送信および受信する第１の通信部と、前記送信情報および前記選別情報を生成する第１の制御部とを有し、前記薬歴管理装置が、情報を送信および受信する第２の通信部と、互いに対応付けられた、ユーザを識別する個人識別情報と前記ユーザの薬歴情報とを含む対象者情報を記録する記録部と、第２の制御部とを有し、前記第１の制御部により、前記第１の通信部により前記送信情報および前記選別情報を前記薬歴管理装置に送信するよう制御され、前記第２の制御部により、前記第２の通信部により前記送信情報および前記選別情報を受信するよう制御され、前記対象者情報および前記選別情報に基づいて前記送信情報の送信対象とする前記ユーザが抽出され、前記第２の通信部により、抽出された前記ユーザに対応する端末装置に前記送信情報を送信するよう制御される。
【発明の効果】
【００１８】
本技術の第１の側面および第２の側面によれば、匿名性と正確性を両立させることができる。
【００１９】
なお、ここに記載された効果は必ずしも限定されるものではなく、本開示中に記載された何れかの効果であってもよい。
【図面の簡単な説明】
【００２０】
【図１】情報処理システムの構成例を示す図である。
【図２】データセンタの構成例を示す図である。
【図３】携帯型端末装置の構成例を示す図である。
【図４】入力端末装置の構成例を示す図である。
【図５】対象者情報について説明する図である。
【図６】通知に関する情報および通知対象者情報について説明する図である。
【図７】アンケートに関する情報およびアンケート対象者情報について説明する図である。
【図８】通知対象者抽出処理を説明するフローチャートである。
【図９】通知取得処理および通知情報送信処理を説明するフローチャートである。
【図１０】アンケート対象者抽出処理を説明するフローチャートである。
【図１１】アンケート情報取得処理およびアンケート情報送信処理を説明するフローチャートである。
【図１２】情報処理システムの構成例を示す図である。
【図１３】管理者端末装置の構成例を示す図である。
【図１４】通知要求処理、通知対象者抽出処理、および通知情報確認処理を説明するフローチャートである。
【図１５】アンケート実施要求処理、アンケート対象者抽出処理、およびアンケート情報確認処理を説明するフローチャートである。
【図１６】アンケート情報取得処理、アンケート情報送信処理、および集計結果受信処理を説明するフローチャートである。
【図１７】コンピュータの構成例を示す図である。
【発明を実施するための形態】
【００２１】
以下、図面を参照して、本技術を適用した実施の形態について説明する。
【００２２】
〈第１の実施の形態〉
〈情報処理システムの構成例〉
本技術は、匿名性と正確性を両立させる機構を用いて、服薬の記録についての正確性を持ちつつ、匿名性を保持した通知やアンケートを実施することができるようにした情報処理システムに関するものである。
【００２３】
このように匿名性と正確性を両立させることができれば、例えば薬剤特有の性質に応じて、「服用後、ｎ日目に通知を行う」などのタイミングを指定しての通知や、薬剤の薬効、先発薬と後発薬の違いなどを考慮した通知やアンケートを実現することが可能となる。
【００２４】
本技術では、情報処理システムを構成するデータセンタが、匿名性と正確性を両立させる機構によって、患者であるユーザの薬歴情報等を管理する。
【００２５】
ここで、例えばデータセンタが薬歴情報を薬局や医療機関からも取得して管理することで、薬歴情報の正確性が担保されるようにする。薬歴情報は、例えば電子お薬手帳の情報など、患者であるユーザに処方された薬剤や、その薬剤の服薬に関する情報である。
【００２６】
また、薬歴情報や患者に関する情報は、薬局や医療機関では実名で扱われる一方、データセンサでは匿名化されて保存される。なお、患者であるユーザの個人情報を、そのユーザが所持するカードなどの可搬媒体等に保存しておけば、後に別の薬局や医療機関で、データセンタから取得した薬歴情報と、可搬媒体等に保存されている個人情報とを組み合わせ、実名化した表示を実現することができる。
【００２７】
以上のような薬歴情報に基づいて通知やアンケートを行う情報処理システムによれば、例えば以下の（１）乃至（８）に示す特徴を実現することができる。
【００２８】
（１）
個人情報に配慮された電子お薬手帳や、それに類似した情報に対応付けられたユーザを母集団とし、セグメント分けして通知やアンケートを行うことができる
（２）
通知やアンケートを送信する対象を、ユーザが所有する個人の端末装置や、薬局などに設けられた携帯型端末装置、病院内のコンピュータなどとすることができる
（３）
特定薬剤の服薬期間が一定範囲内に含まれるユーザのみを対象として、通知やアンケートを行うことができる
（４）
過去ｎ年内に特定の薬局や医療機関に行った経験のあるユーザのみを対象として、通知やアンケートを行うことができる
（５）
時限的に、例えば「服用開始日から３日後」など、指定されたタイミングで通知やアンケートを行うことができる
（６）
体重、年齢、職業、血圧、血糖値、家族構成など、個人情報に配慮した範囲で個人の属性を記録し、その属性も利用して通知やアンケートを行うことができる
（７）
通知やアンケートの内容について、送信者であるデータセンタとは別の主体が依頼主として通知やアンケートを起稿することができる
（８）
依頼主により起稿された通知やアンケートの内容をデータセンタ等において確認する仕組みを設けることができる
【００２９】
それでは、以下、図面を参照して、本技術を適用した実施の形態について具体的に説明していく。
【００３０】
なお、ここでは、データセンタで管理される情報が薬局や医療機関から提供される薬歴情報である例について説明する。しかし、データセンタにより管理される情報、つまり通知やアンケートに用いられる情報は、これに限らず、提供された情報から個人情報を分離させて匿名化することが望まれるような情報であれば好適である（但し、必ずしも個人情報の分離要望が必要なわけではない）。
【００３１】
具体的には、データセンタで管理される情報は、例えば金融機関や、税務署、交通機関、介護施設、葬儀屋、フィットネスクラブ等、各種の施設により提供される情報などとすることができる。この場合、ユーザは患者ではなくそれらの各施設の利用者となる。
【００３２】
図１は、本技術を適用した情報処理システムの一実施の形態の構成例を示す図である。
【００３３】
この情報処理システムは、加盟店システム１１、データセンタ１２、患者であるユーザの所持するＩＣ（Integrated Circuit）カード１３、患者であるユーザの所持する携帯型端末装置１４、および入力端末装置１５から構成される。また、加盟店システム１１、データセンタ１２、携帯型端末装置１４、および入力端末装置１５は、インターネットなど、有線や無線のネットワークからなる通信網１６を介して、相互に接続されている。
【００３４】
この情報処理システムでは、加盟店システム１１や携帯型端末装置１４が電子化されたお薬手帳などの薬歴情報をデータセンタ１２にアップロードし、その薬歴情報を、加盟店システム１１や携帯型端末装置１４で適宜閲覧することができる。また、情報処理システムでは、データセンタ１２が、自身が管理している薬歴情報に基づいて、特定の条件を満たすユーザに対して通知やアンケートを行うこともできる。
【００３５】
なお、薬歴情報のアップロードは、必要に応じてＩＣカード１３を利用した認証や対面認証がなされた後、ユーザが利用するサービス加盟店やユーザ本人により行われる。
【００３６】
加盟店システム１１は、所定のサービスを提供するサービス加盟店に設けられている。
この例では、加盟店システム１１は、例えばユーザが処方された薬剤を購入する薬局内や、ユーザが通院する病院内に設けられている。なお、図１の例では、情報処理システムには、１つの加盟店システム１１しか図示されていないが、実際には情報処理システムには、複数の加盟店システム１１が含まれている。また、以下では、加盟店システム１１が薬局内に設けられているものとして説明を続ける。
【００３７】
加盟店システム１１は、コンピュータなどからなる加盟店端末装置２１、レセプトコンピュータ２２、および情報識別リーダ２３を有している。この例では、加盟店端末装置２１とレセプトコンピュータ２２とが加盟店システム１１内に設けられたローカルネットワークにより互いに接続されており、情報識別リーダ２３が加盟店端末装置２１に接続されている。
【００３８】
加盟店端末装置２１やレセプトコンピュータ２２は、薬剤師等の入力操作に応じて各種の処理を行う。具体的には、例えばレセプトコンピュータ２２は、薬剤師等の入力操作に応じてユーザの薬歴情報を生成し、その薬歴情報を記録する。
【００３９】
レセプトコンピュータ２２では、加盟店システム１１内においてのみ用いられている、加盟店システム１１においてユーザを一意に識別する薬局内患者識別番号と、その薬局内患者識別番号により特定されるユーザの薬歴情報とが対応付けられて記録されている。また、レセプトコンピュータ２２では、薬局内患者識別番号と、その薬局内患者識別番号により特定されるユーザの氏名、年齢、生年月日などの個人情報とが対応付けられて記録されている。
【００４０】
加盟店端末装置２１は、レセプトコンピュータ２２により生成された薬歴情報を、通信網１６を介してデータセンタ１２に送信して記録させる。
【００４１】
また、情報識別リーダ２３は、ユーザのＩＣカード１３から、ユーザに固有のＩＤである個人識別情報や個人情報を読み出して加盟店端末装置２１に供給する。加盟店端末装置２１は、情報識別リーダ２３から供給された個人識別情報や個人情報を本人認証等に利用したり、データセンタ１２で管理されている薬歴情報へアクセスするのに必要となる情報等を近距離通信や情報識別リーダ２３を利用して携帯型端末装置１４に送信したりする。
【００４２】
なお、ＩＣカード１３だけでなく、ＩＣカード１３が有するものと同等のＩＣチップを有する携帯型端末装置１４などから、個人識別情報や個人情報が情報識別リーダ２３により読み出されるようにしてもよい。
【００４３】
ここで、個人識別情報は、一意にユーザを特定することのできる情報であるが、他人が個人識別情報を入手しただけでは、一般的にはその個人識別情報により識別されるユーザ個人を特定することができない（困難である）情報とされる。
【００４４】
また、個人識別情報を取得する契機となる媒体は、個人識別情報が直接記録されたＩＣカード等の可搬性の記録媒体に限らず、書き換えや置き換えが不可能な固有の媒体であればよい。例えば生体情報から固有の情報を個人識別情報として取得する場合、個人識別情報を取得するための媒体は、人体の一部または全部などとされる。
【００４５】
なお、加盟店端末装置２１は、個人識別情報や個人情報を取得することができ、通信網を介してデータセンタ１２や携帯型端末装置１４との情報の授受を行うことができる装置であれば加盟店に設置されている必要はなく、例えば携帯型端末装置であってもよい。
【００４６】
データセンタ１２は、加盟店システム１１や携帯型端末装置１４から供給された薬歴情報を管理する。すなわち、データセンタ１２は、ユーザの薬歴情報を管理する薬歴管理装置として機能する。また、データセンタ１２は、加盟店システム１１や携帯型端末装置１４からの要求に応じて、記録している薬歴情報の閲覧を許可する。
【００４７】
さらに、データセンタ１２は、管理している薬歴情報等からなる対象者情報に基づいて、特定の条件を満たすユーザを対象として、通知やアンケートを実施する。
【００４８】
すなわち、データセンタ１２は、入力端末装置１５から、通知内容を示す通知情報や、アンケート内容を示すアンケート情報を取得し、それらの通知情報やアンケート情報を、特定の条件を満たすユーザに対応する加盟店システム１１や携帯型端末装置１４に送信する。
【００４９】
なお、入力端末装置１５とデータセンタ１２は、例えば同じ会社等、同じ管理者により管理されるようにしてもよいし、それぞれ異なる管理者により管理されるようにしてもよい。例えば入力端末装置１５とデータセンタ１２が同じ管理者により管理される場合には、入力端末装置１５とデータセンタ１２とは、通信網１６ではなく、ローカルネットワークにより接続されるようにしてもよい。なお、この実施の形態では、入力端末装置１５とデータセンタ１２は、同じ管理者により管理されるものとして説明を続ける。
【００５０】
ＩＣカード１３は、加盟店システム１１が設置されているサービス加盟店等で提供されるサービスを受けるユーザが、そのサービスを受けるときに適宜使用するＩＣカードである。このＩＣカード１３は、ユーザごとに発行される。
【００５１】
ＩＣカード１３には、サービス利用者であるユーザを特定するための個人識別情報と、ユーザの氏名、性別、生年月日などからなる個人情報とが記録されている。なお、ＩＣカード１３に記録される個人情報には、その他、ユーザの住所や電話番号、保険証番号などが含まれるようにしてもよい。
【００５２】
ＩＣカード１３は、情報識別リーダ２３と通信し、記録している個人識別情報や個人情報を情報識別リーダ２３に送信する。
【００５３】
携帯型端末装置１４は、ユーザが所持する携帯型電話機などからなり、通信網１６を介して加盟店システム１１やデータセンタ１２と通信し、必要に応じて情報の授受を行なう。
【００５４】
例えば、携帯型端末装置１４は記録している情報に基づいて本人認証を要求したり、データセンタ１２から薬歴情報や通知情報、アンケート情報を受信して表示したり、薬歴情報やアンケートに対する回答を示す回答情報をデータセンタ１２に送信したりする。
【００５５】
なお、携帯型端末装置１４には、ユーザを特定するための個人識別情報と、ユーザの氏名、性別、生年月日などからなる個人情報と、携帯型端末装置１４を一意に識別する端末識別情報とが記録されている。
【００５６】
また、ここではユーザが所有する端末装置が携帯型端末装置１４である場合を例として説明するが、携帯型端末装置１４ではなくパーソナルコンピュータ等の携帯型ではない端末装置が用いられるようにしてもよい。そのような場合、ユーザの端末装置が通信網１６を介してデータセンタ１２と接続され、ユーザの端末装置は、通信網１６を介してデータセンタ１２から薬歴情報や通知情報、アンケート情報を取得したり、回答情報をデータセンタ１２に送信したりする。
【００５７】
〈データセンタの構成例〉
次に、図１に示したデータセンタ１２、携帯型端末装置１４、および入力端末装置１５の構成について説明する。
【００５８】
図２は、データセンタ１２の構成例を示す図である。なお、図２では、データセンタ１２は１つの装置として構成されているが、データセンタ１２は複数の装置から構成されるようにしてもよい。
【００５９】
図２に示すデータセンタ１２は、通信部５１、制御部５２、および記録部５３を有している。
【００６０】
通信部５１は、通信網１６を介して加盟店システム１１や携帯型端末装置１４、入力端末装置１５と通信し、受信した情報を制御部５２に供給したり、制御部５２から供給された情報を送信したりする。
【００６１】
制御部５２は、データセンタ１２全体の動作を制御する。
【００６２】
制御部５２は、対象者抽出部６１、通知情報管理部６２、アンケート情報管理部６３、および集計処理部６４を有している。
【００６３】
対象者抽出部６１は、記録部５３に記録されている対象者情報や、入力端末装置１５から取得された所定の条件に基づいて、通知やアンケートの対象となるユーザを抽出する。
【００６４】
通知情報管理部６２は、入力端末装置１５から取得した通知情報を管理するとともに、対象者抽出部６１によるユーザの抽出結果に基づいて、通知情報の送信対象となるユーザの個人識別情報および端末識別情報のリストである通知対象者情報を生成する。このようにして生成された通知対象者情報と通知情報は、記録部５３に供給されて記録される。
【００６５】
アンケート情報管理部６３は、入力端末装置１５から取得したアンケート情報を管理するとともに、対象者抽出部６１によるユーザの抽出結果に基づいて、アンケート情報の送信対象となるユーザの個人識別情報および端末識別情報のリストであるアンケート対象者情報を生成する。このようにして生成されたアンケート対象者情報とアンケート情報は、記録部５３に供給されて記録される。
【００６６】
集計処理部６４は、アンケート情報に対して携帯型端末装置１４や加盟店システム１１から送信されてきた回答情報に基づいて、アンケートの集計処理を行う。
【００６７】
記録部５３は、制御部５２から供給された各種の情報を記録するとともに、制御部５２からの指示に応じて、記録している情報を制御部５２に供給する。
【００６８】
例えば、記録部５３には、通知情報や、通知対象者情報、アンケート情報、アンケート対象者情報、対象者情報、各種のプログラムなどが記録されている。
【００６９】
〈携帯型端末装置の構成例〉
また、図３は携帯型端末装置１４の構成例を示す図である。
【００７０】
携帯型端末装置１４は、通信部９１、入力部９２、制御部９３、表示部９４、および記録部９５を有している。
【００７１】
通信部９１は、加盟店システム１１やデータセンタ１２などの外部の装置と通信し、各種の情報を受信して制御部９３に供給したり、制御部９３から供給された情報を送信したりする。
【００７２】
入力部９２は、例えば入力ボタンや、表示部９４に重畳されたタッチパネルなどからなり、ユーザによる入力操作に応じた信号を制御部９３に供給する。
【００７３】
制御部９３は、携帯型端末装置１４全体の動作を制御する。例えば制御部９３は、通信部９１から供給された通知情報やアンケート情報を表示部９４に供給して表示させたり、記録部９５に供給して記録させたりする。また、例えば制御部９３は、入力部９２からの信号に基づいて回答情報を生成し、通信部９１に供給する。
【００７４】
表示部９４は、例えば液晶表示パネルなどからなり、制御部９３から供給された情報を表示する。記録部９５は、制御部９３から供給された各種の情報を記録しており、必要に応じてそれらの情報を制御部９３に供給する。
【００７５】
〈入力端末装置の構成例〉
図４は入力端末装置１５の構成例を示す図である。
【００７６】
入力端末装置１５は、通信部１２１、入力部１２２、制御部１２３、表示部１２４、および記録部１２５を有している。
【００７７】
通信部１２１は、データセンタ１２と通信し、各種の情報を受信して制御部１２３に供給したり、制御部１２３から供給された情報を送信したりする。
【００７８】
入力部１２２は、例えばマウスやキーボード、表示部１２４に重畳されたタッチパネルなどからなり、通知情報やアンケート情報の作成者による入力操作に応じた信号を制御部１２３に供給する。
【００７９】
制御部１２３は、入力端末装置１５全体の動作を制御する。例えば制御部１２３は、入力部１２２からの信号に基づいて通知情報やアンケート情報を生成したり、通信部１２１から供給されたアンケートの集計結果を記録部１２５に供給して記録させたりする。
【００８０】
表示部１２４は、例えば液晶表示パネルなどからなり、制御部１２３から供給された情報を表示する。記録部１２５は、制御部１２３から供給された各種の情報を記録しており、必要に応じてそれらの情報を制御部１２３に供給する。
【００８１】
〈対象者情報について〉
ここで、データセンタ１２の記録部５３に記録されている対象者情報について説明する。例えば記録部５３には、対象者情報として図５の矢印Ｑ１１に示すように、ユーザに関する情報および薬歴に関する情報が、個人識別情報により識別されるユーザごとに記録されている。
【００８２】
図５に示す例では、対象者情報を構成するユーザに関する情報として、個人識別情報と、その個人識別情報に対応付けられた誕生年、性別、既往症、アレルギーに関する情報、副作用に関する情報、ジェネリック医薬品への転換希望の有無、および端末識別情報とが対応付けられて記録されている。
【００８３】
ここで、誕生年および性別は、個人識別情報により特定されるユーザの誕生年および性別である。この誕生年からユーザの年齢を特定することが可能である。また、既往症、およびアレルギーに関する情報は、個人識別情報により特定されるユーザについての既往症、および申告等されたアレルギーなどを示す情報であり、副作用に関する情報は、個人識別情報により特定されるユーザについて報告された副作用の発生日時や内容、副作用が発生した薬剤などを示す情報である。
【００８４】
さらに、ジェネリック医薬品への転換希望の有無は、個人識別情報により特定されるユーザが後発医薬品への転換を希望しているか否かを示す情報であり、端末識別情報は、個人識別情報により特定されるユーザが所持する携帯型端末装置１４を識別する情報である。
【００８５】
なお、ユーザに関する情報として、その他、ユーザの体重や職業、血圧の測定結果、血糖値の測定結果、家族構成など、個人の情報に配慮した範囲で、つまりユーザ個人が直接的に特定されない範囲で、ユーザ個人の属性を示す情報が記録されるようにしてもよい。
【００８６】
このような対象者情報に含まれるユーザに関する情報は、それらの情報を組み合わせても、それらの情報のみからはユーザ個人を特定することが困難な情報である。換言すれば、ユーザに関する情報には、ユーザの誕生年や性別などのユーザ自身に関する情報、ユーザの薬剤や病歴に関する情報などは含まれているが、ユーザの氏名や住所、電話番号など、それ自体から直接ユーザを特定可能な情報は含まれていない。
【００８７】
また、記録部５３には、対象者情報を構成する情報として、薬歴に関する情報が記録されている。図５に示す例では、薬歴に関する情報として、個人識別情報と、その個人識別情報に対応付けられた調剤薬局識別情報、薬局内患者識別番号、および薬歴情報とが記録されている。
【００８８】
ここで、調剤薬局識別情報は、対応付けられている薬歴情報をアップロードした、つまり薬歴情報を生成した加盟店システム１１としての薬局を一意に識別する情報である。また、薬局内患者識別番号は、加盟店システム１１としての薬局内において、個人識別情報により特定されるユーザを一意に識別する識別情報であり、薬歴情報は、個人識別情報により識別されるユーザについての薬歴情報である。
【００８９】
また、対象者情報の一部として記録されている薬歴情報には、例えば矢印Ｑ１２に示すように、処方箋交付医療機関名、診療科名、処方箋交付日、調剤日、処方薬の名称、処方日数、服用方法、服用量、および処方の前提となった症状に関する情報が含まれている。
【００９０】
ここで、処方箋交付医療機関名および診療科名は、薬歴情報に関する処方箋を交付した医療機関名と診療科名を示しており、処方箋交付日はその処方箋の交付日を示している。
また、処方薬の名称は、薬歴情報に関する処方箋により処方された医薬品（薬剤）の名称を示しており、調剤日、処方日数、服用方法、および服用量は、処方された薬剤を調剤した調剤日、その調剤した薬剤の処方日数、服用方法、および服用量を示している。
【００９１】
例えば服用方法は、内服、頓服などの服薬方法と、朝昼などの服薬のタイミングを示しており、服用量は一回３錠など、一度の服薬における服薬量を示している。
【００９２】
さらに処方の前提となった症状に関する情報は、例えば薬歴情報に関する処方箋で、どのような症状に対して薬剤が処方されたかを示している。
【００９３】
このようにユーザの薬歴情報は、ユーザに対して処方された薬剤、すなわちユーザに対して調剤された薬剤に関する情報となっている。なお、薬歴情報には、その他、服用開始日や服用日数、薬効成分や薬効分類を示すＹＪコード（薬価収載コード）などが含まれるようにしてもよい。
【００９４】
以上のようなユーザに関する情報と薬歴に関する情報とからなる対象者情報は、例えば加盟店システム１１としての薬局が持つ、各ユーザの生活に紐づいた情報のうち、個人情報を分離させて得られた、正確性が高くかつ匿名性が保持された情報である。
【００９５】
また、データセンタ１２の記録部５３には、対象者情報の他に、例えば矢印Ｑ１３に示すように調剤薬局に関する情報も予め記録されている。
【００９６】
この例では、調剤薬局に関する情報として、調剤薬局識別情報、調剤薬局名、および調剤薬局所在地が互いに対応付けられて記録されている。
【００９７】
ここで、調剤薬局名は、調剤薬局識別情報により特定される調剤薬局の名称を示しており、調剤薬局所在地は、調剤薬局識別情報により特定される調剤薬局の住所などの所在地を示している。
【００９８】
〈通知情報およびアンケート情報について〉
さらに、データセンタ１２の記録部５３には、通知情報等からなる通知に関する情報や、アンケート情報等からなるアンケートに関する情報も記録されている。
【００９９】
すなわち、例えば図６の矢印Ｑ２１に示すように、記録部５３には通知に関する情報として、通知ＩＤ、通知情報、および通知選別情報が互いに対応付けられて記録されている。
【０１００】
ここで、通知ＩＤは、通知情報を一意に識別するＩＤである。また、通知情報は、ユーザに対して行われる通知の内容、すなわち通知文のテキスト情報や図などからなる情報である。
【０１０１】
また、通知選別情報は、通知情報を通知する対象となるユーザの抽出に関わる条件、つまり複数のユーザのうちの通知情報の通知対象とすべきユーザを特定（抽出）するための抽出条件を示す情報である。換言すれば、通知選別情報により示される抽出条件を満たしているユーザが通知情報の通知対象とされる。
【０１０２】
具体的には、例えば通知選別情報により示される抽出条件は、２０１６年３月３１日までに薬剤Ａを服用した６０才以上の患者などとされる。
【０１０３】
その他、通知選別情報により示される抽出条件は、例えば服用期間や服用方法、薬剤の内容などの薬剤に関する情報、ユーザの年齢、性別、血液型、地域情報などの個人を特定しない範囲でのユーザに関する情報などにより定められた条件とされてもよい。また、ここでいう地域情報とは、ユーザの住居のある地域、ユーザが利用した薬局や医療機関などの施設の所在地域、ユーザの勤務先の所在地域などとされる。すなわち、データセンタ１２に対象者情報として記録しているデータであれば、どのようなものを用いて抽出を行ってもよい。
【０１０４】
さらに、通知選別情報には通知のタイミングに関する条件や、通知を送信する端末装置に関する条件などが含まれるようにしてもよい。例えば通知選別情報により、通知を行うユーザの端末装置について、複数の端末装置を所有するユーザに対しては、そのなかの１つの端末装置に通知するように指定したり、複数の各端末装置に通知を行うように指定したりすることができるようにしてもよい。また、ユーザが複数の端末装置を登録している場合には、その登録日が最も新しい端末装置に通知を行うようにしてもよい。
【０１０５】
さらに、通知選別情報により、例えば男女各１００名を抽出するなど、通知対象となるユーザを抽出する際のカテゴリごとの人数を指定できるようにしてもよい。すなわち、通知選別情報には、カテゴリごとの抽出人数を指定する情報が含まれていてもよい。
【０１０６】
なお、通知に関する情報には、その他、通知情報の有効期限が含まれるようにしてもよい。ここでいう有効期限は、例えば通知情報の送信やユーザ側の端末装置で表示可能な期間、つまり通知期限などである。
【０１０７】
データセンタ１２の記録部５３には、矢印Ｑ２１に示した通知に関する情報の他に、例えば矢印Ｑ２２に示す通知対象者情報も記録される。
【０１０８】
通知対象者情報は、通知情報を示す通知ＩＤと、その通知ＩＤに対応付けられた、通知対象とされた各ユーザの個人識別情報および端末識別情報とからなるリストである。
【０１０９】
通知情報の送信時には、通知対象者情報に含まれている個人識別情報により特定されるユーザが所有する、通知対象者情報内でその個人識別情報に対応付けられている端末識別情報により特定される携帯型端末装置１４に通知情報が送信される。
【０１１０】
また、例えば図７の矢印Ｑ３１に示すように、記録部５３にはアンケートに関する情報として、アンケートＩＤ、アンケート情報、およびアンケート選別情報が互いに対応付けられて記録されている。
【０１１１】
ここで、アンケートＩＤは、アンケート情報を一意に識別するＩＤである。また、アンケート情報は、ユーザに対して行われるアンケートの設問内容のテキスト情報や図などからなる情報である。
【０１１２】
また、アンケート選別情報は、通知選別情報と同様の情報である。
【０１１３】
すなわち、アンケート選別情報は、アンケート情報を送信する対象となるユーザの抽出に関わる条件を示す情報である。換言すれば、アンケート選別情報により示される抽出条件を満たしているユーザがアンケート情報の送信対象とされる。
【０１１４】
なお、アンケート選別情報においても、そのアンケート選別情報により示される抽出条件は、例えば服用期間や服用方法、薬剤の内容などの薬剤に関する情報、ユーザの年齢、性別、血液型、地域情報などの個人を特定しない範囲でのユーザに関する情報などにより定められた条件とされてもよい。
【０１１５】
さらに、アンケート選別情報にもアンケートの実施のタイミングに関する条件や、アンケート情報を送信する端末装置に関する条件などが含まれるようにしてもよいし、アンケート選別情報により、アンケートの送信対象となるユーザを抽出する際のカテゴリごとの抽出人数を指定できるようにしてもよい。
【０１１６】
なお、アンケートに関する情報には、その他、アンケート情報の有効期限が含まれるようにしてもよい。ここでいう有効期限は、例えばアンケート情報の送信や表示が可能な期間、回答の受け付けを行う期間などである。
【０１１７】
また、記録部５３には、例えば矢印Ｑ３２に示すアンケート対象者情報も記録される。
【０１１８】
アンケート対象者情報は、アンケート情報を示すアンケートＩＤと、そのアンケートＩＤに対応付けられた、送信対象とされた各ユーザの個人識別情報および端末識別情報とからなるリストである。
【０１１９】
〈通知対象者抽出処理の説明〉
続いて、情報処理システムの動作について説明する。データセンタ１２では、携帯型端末装置１４や加盟店システム１１に送信される送信情報として、通知情報やアンケート情報が入力端末装置１５から取得され、それらの送信情報が適切なタイミングで送信される。
【０１２０】
まず、図８のフローチャートを参照して、データセンタ１２が通知情報の通知対象を抽出して通知対象者情報を生成する通知対象者抽出処理について説明する。
【０１２１】
ステップＳ１１において、通信部５１は、入力端末装置１５から送信されてきた通知ＩＤ、通知情報、および通知選別情報を受信することで、通知ＩＤ、通知情報、および通知選別情報を取得して、制御部５２に供給する。
【０１２２】
ステップＳ１２において、対象者抽出部６１は、取得した通知選別情報、および記録部５３に記録されている対象者情報に基づいて、通知対象とするユーザ、つまり通知選別情報により特定されるユーザを抽出する。より詳細には、通知対象となるユーザの携帯型端末装置１４が抽出される。通知対象となるユーザの携帯型端末装置１４は、個人識別情報と端末識別情報により特定される。
【０１２３】
例えば通知選別情報により示される抽出条件が、年齢が６０才以上であるユーザとされている場合、対象者抽出部６１は、図５に示した対象者情報としてのユーザに関する情報に含まれる誕生年に基づいて、６０才以上であるユーザを検索することで、通知対象とするユーザを抽出する。
【０１２４】
ステップＳ１３において、通知情報管理部６２は、ステップＳ１２による通知対象とするユーザの抽出結果に基づいて、通知対象者情報を生成する。
【０１２５】
例えば、通知情報管理部６２は、通知対象として抽出されたユーザごとに、ユーザの個人識別情報と、その個人識別情報に対応付けられている端末識別情報とを記録部５３から読み出す。そして、通知情報管理部６２は、ステップＳ１１で取得した通知ＩＤと、通知対象とした全ユーザの個人識別情報および端末識別情報とを対応付けて得られるリストを通知対象者情報として生成する。
【０１２６】
このようにして通知対象者情報が生成されると、通知情報管理部６２は、ステップＳ１１で取得された通知ＩＤ、通知情報、および通知選別情報からなる通知に関する情報と、生成した通知対象者情報とを記録部５３に供給し、記録を指示する。
【０１２７】
このとき、通知情報管理部６２は、必要に応じて通知情報を加工する。最終的に得られる通知情報は、例えば薬剤Ａに関して、ビア−ズ基準に照らして注意が必要なので注意喚起させて頂きますなどといった通知内容を表示させるメッセージ情報などとされる。
【０１２８】
ステップＳ１４において、記録部５３は、通知情報管理部６２から供給された通知に関する情報および通知対象者情報を記録し、通知対象者抽出処理は終了する。
【０１２９】
以上のように、データセンタ１２は、正確性および匿名性が両立された対象者情報に基づいて、通知の対象となるユーザを抽出するとともに通知対象者情報を生成し、通知対象者情報と通知情報を記録する。これにより、正確性と匿名性を両立させた通知を実施することができるようになる。例えばデータセンタ１２ではユーザの個人情報は保持されていないので、匿名性を保持したまま通知対象とするユーザを抽出することができ、ユーザの通知の受け取りに対する心理的障壁をより少なくすることができる。
【０１３０】
なお、ここでは対象者情報に基づいて通知対象とするユーザを抽出する例について説明した。対象者情報に含まれているユーザに関する情報には、ユーザ個人により入力された情報が含まれていることもある。具体的には例えば、既往症やアレルギーに関する情報、ユーザの食事内容などがユーザ個人により入力されることもある。
【０１３１】
このようなユーザ個人により入力された情報は、加盟店システム１１から取得された情報と比較してやや正確性が低い情報であるので、そのような情報は通知対象のユーザの抽出の際に用いられないようにしてもよい。しかし、通知内容によっては、このようなユーザ個人により入力された情報を活用することも有用である。
【０１３２】
また、例えばユーザ個人により入力されたオプトインやオプトアウト、つまり通知の受信を希望するか否かなどの設定情報を通知対象のユーザの抽出に利用してもよい。
【０１３３】
そのような場合、例えばデータセンタ１２の通信部５１は、携帯型端末装置１４や加盟店システム１１から送信されてきた、受信の希望の有無を示す情報を受信して制御部５２に供給し、制御部５２は供給された情報に基づいて設定情報を生成する。例えば設定情報は、個人識別情報、端末識別情報、および受信を希望するか否かを示すフラグからなる情報とされる。制御部５２は、生成した設定情報を記録部５３に供給して記録させておく。
【０１３４】
そして、ステップＳ１２では対象者抽出部６１は、通知選別情報、対象者情報、および設定情報に基づいて通知対象とするユーザを抽出する。このとき、例えば通知選別情報により示される抽出条件を満たすユーザであっても、設定情報内のフラグが受信を希望しない旨の値であるときには、そのユーザは通知対象とされない。
【０１３５】
〈通知取得処理および通知情報送信処理の説明〉
以上のようにしてデータセンタ１２に通知情報および通知対象者情報が記録されると、各ユーザの携帯型端末装置１４は、適切なタイミングで通知情報を取得する。
【０１３６】
以下、図９のフローチャートを参照して、携帯型端末装置１４による通知取得処理とデータセンタ１２による通知情報送信処理について説明する。
【０１３７】
例えば携帯型端末装置１４による通知取得処理は、ユーザが携帯型端末装置１４を操作して、情報処理システムにより提供されるサービスに関するアプリケーションプログラムを起動させたときや、そのアプリケーションプログラムがデータセンタ１２にアクセスするときなどのタイミングで開始される。例えばアプリケーションプログラムがデータセンタ１２にアクセスするタイミングは、ユーザにより薬歴情報の閲覧が指示されたタイミングであってもよいし、自動読み込み等の予め定められたタイミングであってもよい。
【０１３８】
ステップＳ４１において、携帯型端末装置１４の通信部９１は個人識別情報および端末識別情報を通信網１６を介してデータセンタ１２に送信する。
【０１３９】
すなわち、制御部９３は記録部９５からユーザの個人識別情報および端末識別情報を読み出して通信部９１に供給し、通信部９１は制御部９３から供給された個人識別情報および端末識別情報を通信網１６を介してデータセンタ１２に送信する。
【０１４０】
すると、データセンタ１２では、ステップＳ５１において通信部５１は、携帯型端末装置１４から送信されてきた個人識別情報および端末識別情報を受信して制御部５２に供給する。
【０１４１】
ステップＳ５２において、通知情報管理部６２は、個人識別情報、端末識別情報、および記録部５３に記録されている１または複数の各通知情報についての通知対象者情報に基づいて、ユーザに通知すべき通知情報を検索する。
【０１４２】
すなわち、通知情報管理部６２は、所定の通知ＩＤについての通知対象者情報に、ステップＳ５１で受信された個人識別情報および端末識別情報の組み合わせが含まれている場合、その所定の通知ＩＤにより示される通知情報はユーザに対して通知すべきものであるとする。
【０１４３】
通知情報管理部６２は、このようにして検索された、ユーザに対して通知すべき通知情報を記録部５３から読み出して通信部５１に供給する。
【０１４４】
ステップＳ５３において、通信部５１は通知情報管理部６２から供給された通知情報を、通信網１６を介して携帯型端末装置１４に送信する。
【０１４５】
ステップＳ５４において通知情報管理部６２は、記録部５３を制御して、ユーザに送信された通知情報の通知対象者情報からユーザの個人識別情報および端末識別情報を削除させることで、通知対象者情報を更新し、通知情報送信処理は終了する。
【０１４６】
また、ステップＳ５３において通知情報が送信されると、ステップＳ４２において、携帯型端末装置１４の通信部９１は、データセンタ１２から送信されてきた通知情報を受信して制御部９３に供給する。制御部９３は、通信部９１から供給された通知情報を記録部９５に供給して記録させる。
【０１４７】
また、例えば実行しているアプリケーションプログラムにおいて、制御部９３により表示部９４に新たな通知情報がある旨の表示が行われ、ユーザがその通知情報の表示を指示すると、指示された通知情報が表示される。
【０１４８】
すなわち、ステップＳ４３において制御部９３は、ユーザにより指示された通知情報を記録部９５から読み出して表示部９４に供給し、その通知情報を表示させる。このようにして通知情報が表示されると、通知取得処理は終了する。
【０１４９】
以上のようにして携帯型端末装置１４は、適切なタイミングでデータセンタ１２から通知情報を取得して、取得した通知情報を表示させる。これにより、正確性と匿名性を両立させた通知情報の通知を実現することができる。また、その後は、例えば定められた有効期限まで適宜通知を表示し続けたり、有効期限を過ぎた通知は表示されないようにするなどの処理が行われる。
【０１５０】
なお、ここでは通知取得処理において通知情報が表示される例について説明したが、通知情報は必ずしも受信後、直ちに表示されなくてもよい。すなわち、一旦、携帯型端末装置１４が通知情報を受信して記録しておき、例えば後日、ユーザにより表示が指示されたタイミングで通知情報が表示されるようにしてもよい。
【０１５１】
また、ここでは携帯型端末装置１４がデータセンタ１２から通知情報を読み出すプル形式により通知が行われる例について説明したが、プッシュ形式で通知が行われるようにしてもよい。そのような場合、データセンタ１２の通知情報管理部６２は、例えば図８を参照して説明した通知対象者抽出処理を行った後、直ちに、または適切なタイミングで、通知対象者情報に含まれている個人識別情報および端末識別情報により特定されるユーザの携帯型端末装置１４に対して通知を行う。
【０１５２】
すなわち、通知情報管理部６２は、記録部５３から、通知対象者情報に含まれている端末識別情報と、通知対象者情報に含まれる通知ＩＤに対応付けられている通知情報とを読み出す。そして、通知情報管理部６２は、例えば読み出した端末識別情報に基づいてトークンを得るとともに通知情報を通信部５１に供給し、得られたトークンに基づいて通知情報を携帯型端末装置１４に送信させる。
【０１５３】
通信部５１は、通知情報管理部６２の制御に従って、供給された通知情報を、通信網１６を介して携帯型端末装置１４に送信する。通知情報が送信されると、通知情報管理部６２は記録部５３に記録されている通知対象者情報を更新する。
【０１５４】
さらに、通知情報の送信先は、携帯型端末装置１４に限らず、加盟店システム１１としての薬局や医療機関であってもよい。
【０１５５】
例えば加盟店システム１１としての薬局においてユーザの薬歴情報を閲覧する場合、加盟店端末装置２１は、情報識別リーダ２３によりユーザのＩＣカード１３から読み出した個人識別情報と、レセプトコンピュータ２２から取得した調剤薬局識別情報とを、通信網１６を介してデータセンタ１２に送信する。
【０１５６】
データセンタ１２は、加盟店端末装置２１から送信されてきた個人識別情報および調剤薬局識別情報に基づいて、上述したステップＳ５２乃至ステップＳ５４の処理を行い、個人識別情報により特定されるユーザが通知対象となっている通知情報を、調剤薬局識別情報により特定される加盟店端末装置２１に送信する。これにより、加盟店システム１１では、データセンタ１２から送信されてきた通知情報を受信して表示し、ユーザに提示することができる。
【０１５７】
ところで、データセンタ１２では、ユーザの個人情報が保持されていない機構（仕組み）となっているので、通知情報による通知内容の文面には、通知の受け取り側の宛名等の個人的な情報は含まれない。しかし、携帯型端末装置１４やＩＣカード１３には、個人識別情報だけでなく、ユーザの氏名や性別などの個人情報も記録されている。
【０１５８】
そこで、通知情報の表示時に通知情報と、携帯型端末装置１４等に記録されている個人情報とを用いることで、通知情報による通知内容に宛名、すなわちユーザ個人の氏名等を付記して表示を行うようにしてもよい。
【０１５９】
そのような場合、例えば携帯型端末装置１４の制御部９３は、記録部９５から、ステップＳ４１で送信した個人識別情報に対応付けられているユーザの個人情報を読み出す。そして、制御部９３は、読み出した個人情報のうちの氏名等の必要な情報を抽出して、通知情報により示される通知内容の文面や標題に埋め込んでから表示部９４に供給して表示させる。
【０１６０】
これにより、例えば通知情報の通知対象がユーザ本人であることを明示することができたり、携帯型端末装置１４で複数のユーザが登録されている場合に、特定のユーザのみを対象とした通知を行ったりすることができる。
【０１６１】
〈アンケート対象者抽出処理の説明〉
なお、以上においては通知情報により患者であるユーザに通知を行う例について説明したが、通知内容を設問内容とすることで、ユーザに対する一方的な通知ではなく、ユーザからの回答を受け付けてアンケートを実施することができる。
【０１６２】
以下では、データセンタ１２から送信される送信情報がアンケート情報である場合に行われる処理について説明する。まず、図１０のフローチャートを参照して、データセンタ１２がアンケートの実施対象者を抽出してアンケート対象者情報を生成するアンケート対象者抽出処理について説明する。
【０１６３】
ステップＳ８１において、通信部５１は、入力端末装置１５から送信されてきたアンケートＩＤ、アンケート情報、およびアンケート選別情報を受信することで、アンケートＩＤ、アンケート情報、およびアンケート選別情報を取得して、制御部５２に供給する。
【０１６４】
ステップＳ８２において、対象者抽出部６１は、取得したアンケート選別情報、および記録部５３に記録されている対象者情報に基づいて、アンケートの実施対象とするユーザ、つまりアンケート選別情報により特定されるユーザを抽出する。ステップＳ８２では、図８のステップＳ１２における場合と同様の処理が行われる。
【０１６５】
ステップＳ８３において、アンケート情報管理部６３は、ステップＳ８２によるアンケートの実施対象とするユーザの抽出結果に基づいて、アンケート対象者情報を生成する。
例えば、アンケート情報管理部６３は、アンケートの実施対象として抽出されたユーザの個人識別情報および端末識別情報を並べて、ステップＳ８１で取得したアンケートＩＤと対応付けて得られるリストをアンケート対象者情報として生成する。
【０１６６】
このようにしてアンケート対象者情報が生成されると、アンケート情報管理部６３は、ステップＳ８１で取得されたアンケートＩＤ、アンケート情報、およびアンケート選別情報からなるアンケートに関する情報と、生成したアンケート対象者情報とを記録部５３に供給し、記録を指示する。このとき、アンケート情報管理部６３は、必要に応じてアンケート情報を加工し、最終的なアンケート情報とする。
【０１６７】
ステップＳ８４において、記録部５３は、アンケート情報管理部６３から供給されたアンケートに関する情報、およびアンケート対象者情報を記録し、アンケート対象者抽出処理は終了する。
【０１６８】
以上のように、データセンタ１２は、正確性および匿名性が両立された対象者情報に基づいて、アンケートの実施対象とするユーザを抽出し、アンケート対象者情報を生成する。これにより、正確性と匿名性を両立させたアンケートを実施することができるようになる。
【０１６９】
なお、アンケート対象者抽出処理においても、図８を参照して説明した通知対象者抽出処理と同様に、ユーザ個人により入力された情報が、アンケートの実施対象とするユーザの抽出に用いられるようにしてもよいし、用いられないようにしてもよい。また、ユーザ個人により入力されたオプトインやオプトアウトなどの設定情報もアンケートの実施対象とするユーザの抽出に用いられるようにしてもよい。
【０１７０】
〈アンケート情報取得処理およびアンケート情報送信処理の説明〉
以上のようにしてデータセンタ１２にアンケート情報とアンケート対象者情報が記録されると、各ユーザの携帯型端末装置１４は、適切なタイミングでアンケート情報を取得する。
【０１７１】
以下、図１１のフローチャートを参照して、携帯型端末装置１４によるアンケート情報取得処理とデータセンタ１２によるアンケート情報送信処理について説明する。
【０１７２】
例えば携帯型端末装置１４によるアンケート情報取得処理は、図９を参照して説明した通知取得処理と同様のタイミングで開始される。
【０１７３】
アンケート情報取得処理が開始されると、ステップＳ１１１の処理が行われ、そのステップＳ１１１の処理に応じて、データセンタ１２ではステップＳ１２１の処理が行われるが、これらの処理は図９のステップＳ４１およびステップＳ５１の処理と同様であるので、その説明は省略する。
【０１７４】
ステップＳ１２２において、アンケート情報管理部６３は、個人識別情報、端末識別情報、および記録部５３に記録されている１または複数の各アンケート情報についてのアンケート対象者情報に基づいて、ユーザに送信すべきアンケート情報を検索する。
【０１７５】
すなわち、ステップＳ１２２では、ステップＳ１２１で受信された個人識別情報および端末識別情報が用いられて、図９のステップＳ５２と同様の処理が行われ、ユーザに送信すべきアンケート情報が検索される。
【０１７６】
アンケート情報管理部６３は、このようにして検索された、ユーザに対して送信すべきアンケート情報を記録部５３から読み出して通信部５１に供給する。
【０１７７】
ステップＳ１２３において、通信部５１はアンケート情報管理部６３から供給されたアンケート情報を、通信網１６を介して携帯型端末装置１４に送信する。
【０１７８】
ステップＳ１２４においてアンケート情報管理部６３は、記録部５３を制御して、ユーザに送信されたアンケート情報のアンケート対象者情報からユーザの個人識別情報および端末識別情報を削除させることで、アンケート対象者情報を更新する。
【０１７９】
また、ステップＳ１２３においてアンケート情報が送信されると、ステップＳ１１２において、携帯型端末装置１４の通信部９１は、データセンタ１２から送信されてきたアンケート情報を受信して制御部９３に供給する。制御部９３は、通信部９１から供給されたアンケート情報を記録部９５に供給して記録させる。
【０１８０】
また、例えば実行しているアプリケーションプログラムにおいて、制御部９３により表示部９４に新たなアンケート情報がある旨の表示が行われ、ユーザがそのアンケート情報の表示を指示すると、指示されたアンケート情報が表示される。
【０１８１】
すなわち、ステップＳ１１３において制御部９３は、ユーザにより指示されたアンケート情報を記録部９５から読み出して表示部９４に供給し、そのアンケート情報を表示させる。このようにしてアンケート情報が表示されると、ユーザは入力部９２を操作して、アンケートの設問に対して回答を行う。これにより、入力部９２から制御部９３には、ユーザの操作に応じた信号が供給される。
【０１８２】
ステップＳ１１４において、制御部９３は、入力部９２からの信号に基づいてアンケートの設問に対する回答を示す回答情報を生成し、通信部９１に供給する。
【０１８３】
ステップＳ１１５において、通信部９１は、制御部９３から供給された回答情報を、通信網１６を介してデータセンタ１２に送信し、アンケート情報取得処理は終了する。
【０１８４】
このようにして回答情報が送信されると、ステップＳ１２５において、データセンタ１２の通信部５１は、携帯型端末装置１４から送信されてきた回答情報を受信して制御部５２に供給する。
【０１８５】
ステップＳ１２６において、集計処理部６４は、通信部５１から供給された回答情報に基づいて集計処理を行い、アンケートの回答を集計する。アンケートの集計処理が行われると、アンケート情報送信処理は終了する。
【０１８６】
なお、より詳細には、集計処理が実行されるタイミングは、各携帯型端末装置１４へのアンケート情報の送信を開始してから所定期間が経過したタイミングや、一定数の携帯型端末装置１４から回答情報が得られたタイミングなどとされる。
【０１８７】
集計処理部６４は、これまでの間に複数の携帯型端末装置１４から得られた回答情報の全てを用いて集計処理を行う。このようにして得られた集計処理の結果は、適切なタイミングで入力端末装置１５へと送信される。
【０１８８】
以上のようにして携帯型端末装置１４は、適切なタイミングでデータセンタ１２からアンケート情報を取得して、取得したアンケート情報を表示させるとともに回答情報を生成して送信する。また、データセンタ１２は、携帯型端末装置１４から受信した回答情報に基づいてアンケートの集計処理を行う。これにより、正確性と匿名性を両立させたアンケートを実施することができる。
【０１８９】
なお、アンケート情報取得処理においても、図９を参照して説明した通知取得処理と同様に、アンケート情報を表示させるタイミングや、回答情報を生成するタイミングは必ずしもアンケート情報の受信直後でなくてもよい。アンケート情報の送信もプッシュ形式で行われるようにしてもよいし、加盟店システム１１にアンケート情報が送信されるようにしてもよい。
【０１９０】
また、図９を参照して説明した通知取得処理と同様に、アンケート情報を表示させる場合には、携帯型端末装置１４等に記録されている個人情報を用いてアンケートに氏名等を表示させるようにしてもよい。さらに、アンケート情報の送信時または表示時において、アンケート情報を受信する携帯型端末装置１４の表示画面（表示部）の大きさや、携帯型端末装置１４自体の大きさに応じて、表示させるアンケートの設問項目数を増減させるなど、アンケート項目を変動させるようにしてもよい。
【０１９１】
以上のように本技術を適用した情報処理システムによれば、正確性と匿名性を両立させた通知やアンケートを実現することができる。
【０１９２】
上述したように通知やアンケートの実施において、通知対象やアンケートの実施対象とするユーザの抽出では対象者情報が用いられる。
【０１９３】
このとき、例えば対象者情報として、薬剤の服用開始日と服用日数を記録しておくようにすれば、所定の期間に特定の薬剤を服用しているユーザを簡単に抽出することができる。この場合、所定期間内に特定の薬剤を服用したユーザという条件が通知選別情報やアンケート選別情報により示される抽出条件とされる。
【０１９４】
なお、服用開始日と服用日数に代えて調剤年月日（調剤日）や処方箋交付日、処方日数などを用いても、所定期間に特定の薬剤を服用しているユーザを抽出することができる。
【０１９５】
また、例えば過去ｎ年内に、加盟店システム１１としての所定の薬局や医療機関を利用したことのあるユーザを抽出する場合には、対象者情報としての処方箋交付日や調剤年月日、処方箋交付医療機関名や調剤薬局識別情報を用いればよい。
【０１９６】
この場合、所定年数（ｎ年）内に特定の施設、つまり特定の薬局または医療機関を利用したユーザという条件が通知選別情報やアンケート選別情報により示される抽出条件とされる。
【０１９７】
さらに、通知選別情報やアンケート選別情報について、それらの選別情報で示された特定の薬剤と同じ薬効成分や同じ薬効分類の薬剤も対象とする場合には、対象者情報としての薬価収載コードを利用すればよい。例えば、薬価収載コードの上８桁を比べれば薬効成分が同一である薬剤を特定することができ、薬価収載コードの上３桁乃至４桁を比べれば同じ薬効分類の薬剤を特定することができる。
【０１９８】
さらに、データセンタ１２では、通知選別情報やアンケート選別情報が記録されるので、それらの選別情報を利用すればアラーム機能を実現することができる。そのような場合、通知選別情報やアンケート選別情報により示される抽出条件を、例えば特定の薬剤の服用を開始してから所定日数が経過したユーザとすることなどが考えられる。
【０１９９】
これにより、例えば特定の薬剤の服用を開始してから３日後に通知情報を携帯型端末装置１４に送信するなどの処理を実現することができる。この場合、対象者抽出部６１は、毎日特定のタイミングで、通知選別情報と対象者情報とに基づいて通知選別情報により示される抽出条件を満たすユーザ、つまり特定の薬剤の服用を開始してから３日後であるユーザを検索し、通知情報の送信を行う。
【０２００】
また、本技術の適用例として、以下のような例が考えられる。
【０２０１】
例えば、禁煙治療薬については、服薬、つまり禁煙を始めると禁煙に伴う不快な症状（脱離症状）が生じることがほぼ確実である。そのため、治療を始めてから１週間目、２週間目などのタイミングで適切な説明や、症状を緩和するための工夫のメッセージをユーザに対して送信すると、服薬率の低下を防ぐことに効果的である。
【０２０２】
従来は、こうした患者に対して、個人情報をもとに個別化して案内を送るか、最初の通院時にまとめて冊子を渡すなどしなければならず、手間がかかってしまっていた。また、案内等を匿名で一斉送信することもできるが、必要のないユーザまで案内を受け取ることになったり、各ユーザに適切なタイミングで案内を送信することができなかったりする。
これに対して本技術では、ユーザごとに適切なタイミングで通知情報を送信することができる。
【０２０３】
同様に、継続的なメッセージが必要な疾患や症状として、糖尿病やその予備軍となるメタボリックシンドロームが存在する。これらに対して、服薬の指示のみならず、服薬を忘れて症状が悪化した場合の治療の末路（大変さ）や、処方薬以外の運動の示唆および運動報告の受け取り、食事の記録、血圧等のヘルスケア情報の受け取りなど、こうしたメタボリックシンドローム予防も含めた取り組みなどに本技術を利用することができる。
【０２０４】
また、近年、精神疾患（メンタル疾患）は増加の一途をたどっている。こうした精神疾患に対しての薬（例えばAD/HD治療薬）のように中枢神経に作用する薬は、効く人には著効を示す一方で、効かない人には全く効かないので飲まない方がよい場合もある。
【０２０５】
精神疾患に対しての薬剤の効果の有無を判別するためにも、医療者側としては服薬して一定期間後（例えば服薬開始後３日目）などに、患者からのフィードバックを欲している。これは、効果の有無によって処方した薬のその時点での残薬（例えば、７日分処方したうちの残り４日分）を服用すべきか否かを判断したいからである。
【０２０６】
このような場合においても、個人情報と密接な関係を持つデータを用いれば、適切にアンケートを実施可能であるが、データを安全に管理するなど、データ管理にコストがかかってしまう。これに対して、本技術では、データセンタ１２で管理される対象者情報は、個人情報とは疎な関係のデータであるので、より低い管理コストで患者であるユーザからのフィードバックを回答情報として得ることができる。
【０２０７】
〈第２の実施の形態〉
〈情報処理システムの構成例〉
ところで、第１の実施の形態では、入力端末装置１５とデータセンタ１２の管理者が同じであるものとして説明を行った。しかし、本技術によって、匿名性と正確性を両立した通知やアンケートが可能であることを利用して、通知情報やアンケート情報についてはデータセンタ１２の管理者とは異なる依頼主の起稿を受け付けるようにすることもできる。
【０２０８】
そのような場合、情報処理システムは、例えば図１２に示すように構成される。なお、図１２において図１における場合と対応する部分には同一の符号を付してあり、その説明は適宜省略する。
【０２０９】
図１２に示す例では、図１に示した情報処理システムの構成に対して、さらに通信網１６に管理者端末装置２０１が接続された構成となっている。
【０２１０】
この例では、管理者端末装置２０１とデータセンタ１２とは同じ管理者（管理会社）により管理され、入力端末装置１５は、その管理者とは異なる依頼主により管理されている。そこで、管理者端末装置２０１は、入力端末装置１５からデータセンタ１２へと供給され、送信の依頼がなされた通知情報やアンケート情報の内容を確認する。そして、管理者端末装置２０１による確認がなされた後、データセンタ１２により通知情報やアンケート情報が送信される。
【０２１１】
この場合、データセンタ１２は、記録部５３に入力端末装置１５、つまり依頼主に関する情報も記録している。例えば依頼主に関する情報として、依頼主の氏名、連絡先、依頼主の所属組織などが記録部５３に記録される。つまり、データセンタ１２では予め依頼主の登録が行われる。また、この場合、管理者端末装置２０１とデータセンタ１２とローカルネットワークを介して接続されているようにしてもよい。
【０２１２】
図１２に示す情報処理システムの利点は、通知情報やアンケート情報の送信者であるデータセンタ１２がユーザの個人情報を持たないことで、通知情報やアンケート情報の受信者であるユーザの個人情報が依頼主には渡っていないことが担保されることである。これにより、受信者が通知情報やアンケート情報の受信を受け入れる心理的ハードルが低くなり、より広いターゲット層に対して依頼主が送りたいメッセージ、つまり通知やアンケートを送信することができる。これは、薬歴情報などの機微性が高い情報に関連するメッセージの送信機構として有用である。
【０２１３】
したがって、受信者が抱える状況に対して、より専門的な情報を持った医療機関や、自治体、健康保険組合などの保険者、保険会社、製薬会社、医療関係メーカ、フィットネスクラブなどの依頼主から、受信者に対して、より適した通知やアンケートを送信することができるようになる。
【０２１４】
〈管理者端末装置の構成例〉
また、図１２に示した管理者端末装置２０１は、例えば図１３に示すように構成される。
【０２１５】
管理者端末装置２０１は、通信部２３１、入力部２３２、制御部２３３、表示部２３４、および記録部２３５を有している。
【０２１６】
通信部２３１は、通信網１６を介してデータセンタ１２などの外部の装置と通信し、各種の情報を受信して制御部２３３に供給したり、制御部２３３から供給された情報を送信したりする。
【０２１７】
入力部２３２は、例えばマウスやキーボード、表示部２３４に重畳されたタッチパネルなどからなり、管理者による入力操作に応じた信号を制御部２３３に供給する。
【０２１８】
制御部２３３は、管理者端末装置２０１全体の動作を制御する。例えば制御部２３３は、通信部２３１から供給された通知情報やアンケート情報の確認を行い、その確認結果を通信部２３１に供給して送信させる。
【０２１９】
表示部２３４は、例えば液晶表示パネルなどからなり、制御部２３３から供給された情報を表示する。記録部２３５は、制御部２３３から供給された各種の情報を記録しており、必要に応じてそれらの情報を制御部２３３に供給する。
【０２２０】
〈通知要求処理、通知対象者抽出処理、および通知情報確認処理の説明〉
続いて、図１２に示した情報処理システムの動作について説明する。
【０２２１】
まず、図１４のフローチャートを参照して、入力端末装置１５による通知要求処理、データセンタ１２による通知対象者抽出処理、および管理者端末装置２０１による通知情報確認処理について説明する。
【０２２２】
入力端末装置１５による通知要求処理は、依頼主が通知情報の送信をデータセンタ１２に対して依頼したときに行われる。
【０２２３】
ステップＳ１５１において、制御部１２３は、通知情報および通知選別情報の入力を受け付ける。
【０２２４】
例えば依頼主は、入力部１２２を操作して通知情報および通知選別情報を入力する。入力部１２２からは依頼主の操作に応じた信号が出力されるので、制御部１２３は、入力部１２２からの信号を取得して通知情報および通知選別情報を生成する。制御部１２３は、このようにして得られた通知情報および通知選別情報と、その通知情報に対して生成した通知ＩＤとを通信部１２１に供給する。
【０２２５】
ステップＳ１５２において、通信部１２１は、制御部１２３から供給された通知ＩＤ、通知情報、および通知選別情報を通信網１６を介してデータセンタ１２に送信する。
【０２２６】
すると、ステップＳ１６１において、データセンタ１２の通信部５１は、入力端末装置１５から送信されてきた通知ＩＤ、通知情報、および通知選別情報を受信して制御部５２に供給する。
【０２２７】
このようにして通知選別情報が得られると、その後、ステップＳ１６２およびステップＳ１６３の処理が行われて、通知対象とするユーザが抽出されるとともに、通知対象者情報が生成される。なお、これらのステップＳ１６２およびステップＳ１６３の処理は図８のステップＳ１２およびステップＳ１３の処理と同様であるので、その説明は省略する。
【０２２８】
ステップＳ１６２により通知対象とするユーザが抽出されると、対象者抽出部６１は、抽出されたユーザ数、つまり抽出されたユーザの総数を通信部５１に供給する。
【０２２９】
ステップＳ１６４において、通信部５１は、対象者抽出部６１から供給された、ステップＳ１６２で抽出されたユーザ数を入力端末装置１５に送信する。
【０２３０】
ステップＳ１５３において、入力端末装置１５の通信部１２１は、データセンタ１２から送信されてきたユーザ数を受信して制御部１２３に供給する。制御部１２３は、適宜、受信したユーザ数を表示部１２４に供給して表示させる。
【０２３１】
これにより、ユーザ数を見た依頼主は、これから送信しようとしている通知情報の通知対象となるユーザがどの程度いるのかを知ることができる。なお、ユーザ数が十分でない場合には、依頼主が通知情報の送信の依頼をキャンセルしたり、通知選別情報を変更したりするようにしてもよい。
【０２３２】
なお、ここではデータセンタ１２から入力端末装置１５にユーザ数のみが通知される場合を例として説明したが、その他、抽出されたユーザの男女比や年齢の分布など、対象者情報から得られる他の情報も入力端末装置１５に送信されるようにしてもよい。
【０２３３】
ユーザ数が通知されると、依頼主は入力部１２２を操作して通知情報の送信を要求する。すると、入力部１２２からは依頼主の操作に応じた信号が出力されるので、制御部１２３は、入力部１２２からの信号に基づいて、通知情報の送信を要求する旨の通知要求を生成し、通信部１２１に供給する。ここで、通知要求には、例えば送信を要求する通知情報を示す通知ＩＤが含まれている。
【０２３４】
ステップＳ１５４において、通信部１２１は、制御部１２３から供給された通知要求を、通信網１６を介してデータセンタ１２に送信する。
【０２３５】
すると、ステップＳ１６５において、データセンタ１２の通信部５１は、入力端末装置１５から送信されてきた通知要求を受信して制御部５２に供給する。
【０２３６】
このようにして通知要求が受信されると、制御部５２は、受信した通知要求と、その通知要求に含まれている通知ＩＤに対応付けられた、ステップＳ１６１で受信した通知情報とを通信部５１に供給し、管理者端末装置２０１への送信を指示する。このとき、適宜、通知要求に、入力端末装置１５へと情報を送信する際の宛先情報が含まれるようにされる。
【０２３７】
ステップＳ１６６において通信部５１は、制御部５２から供給された通知要求および通知情報を、通信網１６を介して管理者端末装置２０１に送信する。
【０２３８】
すなわち、制御部５２は、通信部５１を制御して通知要求および通知情報を管理者端末装置２０１に送信させるとともに、管理者端末装置２０１に対して通知情報の確認を要求する。
【０２３９】
ステップＳ１７１において、管理者端末装置２０１の通信部２３１は、データセンタ１２から送信されてきた通知要求および通知情報を受信して制御部２３３に供給する。
【０２４０】
制御部２３３は、通知要求に応じて、適宜、受信された通知情報を表示部２３４に供給し、表示させる。
【０２４１】
ステップＳ１７２において、制御部２３３はデータセンタ１２の要求に応じて、受信された通知情報を確認する。
【０２４２】
すなわち、表示部２３４に通知情報が表示されると、管理者は表示された通知情報の内容等を確認し、通知情報として適切なものであるかを確認する。そして、管理者は、通知情報の確認結果を入力部２３２を操作して入力する。
【０２４３】
ここで、通知情報として適切なものであるかとは、通知情報がユーザに通知しても問題のない内容のものであるかである。
【０２４４】
制御部２３３は、入力部２３２から供給された管理者の操作に応じた信号に基づいて、通知情報が適切なものであるか否か、すなわち通知情報を携帯型端末装置１４等に送信可能か否かを確認し、その確認結果を示す情報を生成する。制御部２３３は、このようにして得られた通知情報の確認結果、より詳細には確認結果を示す情報を通信部２３１に供給する。
【０２４５】
ステップＳ１７３において、通信部２３１は、制御部２３３から供給された通知情報の確認結果を、通信網１６を介してデータセンタ１２および入力端末装置１５に送信し、通知情報確認処理は終了する。
【０２４６】
すると、ステップＳ１５５において、入力端末装置１５の通信部１２１は、管理者端末装置２０１から送信されてきた通知情報の確認結果を受信して制御部１２３に供給する。
【０２４７】
ステップＳ１５６において、制御部１２３は、通信部１２１から供給された通知情報の確認結果を表示部１２４に供給して表示させ、通知要求処理は終了する。
【０２４８】
なお、このとき依頼主が表示された通知情報の確認結果を見てから、最終的な通知情報の送信依頼をデータセンタ１２に対して行うようにしてもよい。
【０２４９】
また、より詳細には表示された確認結果が、通知情報が不適切である旨の結果である場合には、再度、通知情報および通知選別情報が生成され、上述した処理が繰り返し行われる。すなわち、適切である旨の確認結果が得られるまで通知情報および通知選別情報が生成し直される。
【０２５０】
さらに、データセンタ１２では、ステップＳ１６７において、通信部５１は、管理者端末装置２０１から送信されてきた通知情報の確認結果を受信して制御部５２に供給する。
【０２５１】
そして、制御部５２の通知情報管理部６２は、受信された確認結果が、適切である旨の確認結果である場合、ステップＳ１６１で受信された通知ＩＤ、通知情報、および通知選別情報からなる通知に関する情報と、ステップＳ１６３で生成した通知対象者情報とを記録部５３に供給し、記録を指示する。このとき、通知情報管理部６２は、必要に応じて通知情報を加工する。
【０２５２】
ステップＳ１６８において、記録部５３は、通知情報管理部６２から供給された通知に関する情報および通知対象者情報を記録し、通知対象者抽出処理は終了する。
【０２５３】
以上のように、入力端末装置１５は通知情報を生成して、データセンタ１２に送信する。また、データセンタ１２は、入力端末装置１５から送信されてきた通知情報を管理者端末装置２０１に送信して確認させる。このようにデータセンタ１２の管理者とは異なる依頼主が管理する入力端末装置１５により通知情報を生成することで、より幅広い通知を行うことができる。
【０２５４】
なお、通知情報の生成と確認は、異なるタイミングで行われるようにしてもよい。すなわち、例えばステップＳ１７１で通知情報を受信した後、後日、ステップＳ１７２およびステップＳ１７３の処理が行われるようにしてもよい。同様に、ステップＳ１５４乃至ステップＳ１５６の処理は、ステップＳ１５３でユーザ数を受信した直後に行われるのではなく、その数日後などに行われるようにしてもよい。
【０２５５】
また、図１４を参照して説明した通知対象者抽出処理においても、図８を参照して説明した通知対象者抽出処理と同様に、対象者情報としてユーザ個人により入力された情報が、通知対象とするユーザの抽出に用いられるようにしてもよいし、用いられないようにしてもよい。さらに、ユーザ個人により入力されたオプトインやオプトアウトなどの設定情報も通知対象とするユーザの抽出に用いられるようにしてもよい。
【０２５６】
以上のような通知要求処理、通知対象者抽出処理、および通知情報確認処理が行われると、その後、適切なタイミングで図９を参照して説明した通知取得処理と通知情報送信処理が行われる。すなわち、ユーザに対して通知情報の通知が行われる。
【０２５７】
〈アンケート実施要求処理、アンケート対象者抽出処理、およびアンケート情報確認処理の説明〉
なお、以上においては通知情報により患者であるユーザに通知を行う例について説明したが、通知内容を設問内容とすることで、アンケートを実施することができる。
【０２５８】
以下では、データセンタ１２から送信される送信情報がアンケート情報である場合に行われる処理について説明する。
【０２５９】
まず、図１５のフローチャートを参照して、入力端末装置１５によるアンケート実施要求処理、データセンタ１２によるアンケート対象者抽出処理、および管理者端末装置２０１によるアンケート情報確認処理について説明する。入力端末装置１５によるアンケート実施要求処理は、依頼主がアンケート情報の送信をデータセンタ１２に対して依頼したときに行われる。
【０２６０】
ステップＳ２０１において、制御部１２３は、アンケート情報およびアンケート選別情報の入力を受け付ける。
【０２６１】
例えば依頼主は、入力部１２２を操作してアンケート情報およびアンケート選別情報を入力する。入力部１２２からは依頼主の操作に応じた信号が出力されるので、制御部１２３は、入力部１２２からの信号を取得してアンケート情報およびアンケート選別情報を生成する。制御部１２３は、このようにして得られたアンケート情報およびアンケート選別情報と、そのアンケート情報に対して生成したアンケートＩＤとを通信部１２１に供給する。
【０２６２】
ステップＳ２０２において、通信部１２１は、制御部１２３から供給されたアンケートＩＤ、アンケート情報、およびアンケート選別情報を通信網１６を介してデータセンタ１２に送信する。
【０２６３】
すると、ステップＳ２１１において、データセンタ１２の通信部５１は、入力端末装置１５から送信されてきたアンケートＩＤ、アンケート情報、およびアンケート選別情報を受信して制御部５２に供給する。
【０２６４】
このようにしてアンケート選別情報が得られると、その後、ステップＳ２１２およびステップＳ２１３の処理が行われて、アンケートの実施対象とするユーザが抽出されるとともに、アンケート対象者情報が生成される。なお、これらのステップＳ２１２およびステップＳ２１３の処理は図１０のステップＳ８２およびステップＳ８３の処理と同様であるので、その説明は省略する。
【０２６５】
ステップＳ２１２によりアンケートの実施対象とするユーザが抽出されると、対象者抽出部６１は、抽出されたユーザ数、つまりユーザの総数を通信部５１に供給する。
【０２６６】
ステップＳ２１４において、通信部５１は、対象者抽出部６１から供給された、ステップＳ２１２で抽出されたユーザ数を入力端末装置１５に送信する。
【０２６７】
ステップＳ２０３において、入力端末装置１５の通信部１２１は、データセンタ１２から送信されてきたユーザ数を受信して制御部１２３に供給する。制御部１２３は、適宜、受信したユーザ数を表示部１２４に供給して表示させる。
【０２６８】
ユーザ数を見た依頼主は、これから送信しようとしているアンケートの実施対象となるユーザがどの程度いるのかを知ることができる。なお、ユーザ数が十分でない場合には、依頼主がアンケート情報の送信の依頼をキャンセルしたり、アンケート選別情報を変更したりするようにしてもよい。また、通知情報における場合と同様に、ユーザ数のみでなく、対象者情報から得られる他の情報も入力端末装置１５に送信されるようにしてもよい。
【０２６９】
ユーザ数が通知されると、依頼主は入力部１２２を操作してアンケート情報の送信、つまりアンケートの実施を要求する。すると、入力部１２２からは依頼主の操作に応じた信号が出力されるので、制御部１２３は、入力部１２２からの信号に基づいて、アンケートの実施を要求する旨のアンケート実施要求を生成し、通信部１２１に供給する。ここで、アンケート実施要求には、例えば実施を要求するアンケートのアンケート情報を示すアンケートＩＤが含まれている。
【０２７０】
ステップＳ２０４において、通信部１２１は、制御部１２３から供給されたアンケート実施要求を、通信網１６を介してデータセンタ１２に送信する。
【０２７１】
すると、ステップＳ２１５において、データセンタ１２の通信部５１は、入力端末装置１５から送信されてきたアンケート実施要求を受信して制御部５２に供給する。
【０２７２】
このようにしてアンケート実施要求が受信されると、制御部５２は、受信したアンケート実施要求と、そのアンケート実施要求に含まれているアンケートＩＤに対応付けられた、ステップＳ２１１で受信したアンケート情報とを通信部５１に供給し、管理者端末装置２０１への送信を指示する。このとき、適宜、アンケート実施要求に、入力端末装置１５へと情報を送信する際の宛先情報が含まれるようにされる。
【０２７３】
ステップＳ２１６において通信部５１は、制御部５２から供給されたアンケート実施要求およびアンケート情報を、通信網１６を介して管理者端末装置２０１に送信する。
【０２７４】
すなわち、制御部５２は、通信部５１を制御してアンケート実施要求およびアンケート情報を管理者端末装置２０１に送信させるとともに、管理者端末装置２０１に対してアンケート情報の確認を要求する。
【０２７５】
ステップＳ２２１において、管理者端末装置２０１の通信部２３１は、データセンタ１２から送信されてきたアンケート実施要求およびアンケート情報を受信して制御部２３３に供給する。
【０２７６】
制御部２３３は、アンケート実施要求に応じて、適宜、受信されたアンケート情報を表示部２３４に供給し、表示させる。
【０２７７】
ステップＳ２２２において、制御部２３３はデータセンタ１２の要求に応じて、受信されたアンケート情報を確認する。
【０２７８】
すなわち、表示部２３４にアンケート情報が表示されると、管理者は表示されたアンケート情報の内容等を確認し、アンケート情報として適切なものであるかを確認する。そして、管理者は、アンケート情報の確認結果を入力部２３２を操作して入力する。
【０２７９】
ここで、アンケート情報として適切なものであるかとは、アンケート情報により示される設問内容が、ユーザを対象としてアンケートを行っても問題のないものであるかである。
【０２８０】
制御部２３３は、入力部２３２から供給された管理者の操作に応じた信号に基づいて、アンケート情報が適切なものであるか否か、すなわちアンケート情報を携帯型端末装置１４等に送信可能か否かを確認し、その確認結果を示す情報を生成する。制御部２３３は、このようにして得られたアンケート情報の確認結果を通信部２３１に供給する。
【０２８１】
ステップＳ２２３において、通信部２３１は、制御部２３３から供給されたアンケート情報の確認結果を、通信網１６を介してデータセンタ１２および入力端末装置１５に送信し、アンケート情報確認処理は終了する。
【０２８２】
すると、ステップＳ２０５において、入力端末装置１５の通信部１２１は、管理者端末装置２０１から送信されてきたアンケート情報の確認結果を受信して制御部１２３に供給する。
【０２８３】
ステップＳ２０６において、制御部１２３は、通信部１２１から供給されたアンケート情報の確認結果を表示部１２４に供給して表示させ、アンケート実施要求処理は終了する。
【０２８４】
なお、このとき依頼主が表示されたアンケート情報の確認結果を見てから、最終的なアンケート情報の送信依頼をデータセンタ１２に対して行うようにしてもよい。
【０２８５】
また、より詳細には表示された確認結果が、アンケート情報が不適切である旨の結果である場合には、再度、アンケート情報およびアンケート選別情報が生成され、上述した処理が繰り返し行われる。
【０２８６】
さらに、データセンタ１２では、ステップＳ２１７において、通信部５１は、管理者端末装置２０１から送信されてきたアンケート情報の確認結果を受信して制御部５２に供給する。
【０２８７】
そして、制御部５２のアンケート情報管理部６３は、受信された確認結果が、適切である旨の確認結果である場合、ステップＳ２１１で受信されたアンケートＩＤ、アンケート情報、およびアンケート選別情報からなるアンケートに関する情報と、ステップＳ２１３で生成したアンケート対象者情報とを記録部５３に供給し、記録を指示する。このとき、アンケート情報管理部６３は、必要に応じてアンケート情報を加工する。
【０２８８】
ステップＳ２１８において、記録部５３は、アンケート情報管理部６３から供給されたアンケートに関する情報およびアンケート対象者情報を記録し、アンケート対象者抽出処理は終了する。
【０２８９】
以上のように、入力端末装置１５はアンケート情報を生成して、データセンタ１２に送信する。また、データセンタ１２は、入力端末装置１５から送信されてきたアンケート情報を管理者端末装置２０１に送信して確認させる。このようにデータセンタ１２の管理者とは異なる依頼主が管理する入力端末装置１５によりアンケート情報を生成することで、より幅広い通知を行うことができる。
【０２９０】
なお、図１４を参照して説明した処理と同様に、アンケート情報の生成と確認は、異なるタイミングで行われるようにしてもよい。また、図１５を参照して説明したアンケート対象者抽出処理においても、図１０を参照して説明したアンケート対象者抽出処理と同様に、対象者情報としてユーザ個人により入力された情報が、アンケートの実施対象とするユーザの抽出に用いられるようにしてもよいし、用いられないようにしてもよい。さらに、ユーザ個人により入力されたオプトインやオプトアウトなどの設定情報もアンケートの実施対象とするユーザの抽出に用いられるようにしてもよい。
【０２９１】
〈アンケート情報取得処理、アンケート情報送信処理、および集計結果受信処理の説明〉  以上のようにしてデータセンタ１２にアンケート情報とアンケート対象者情報が記録されると、各ユーザの携帯型端末装置１４は、適切なタイミングでアンケート情報を取得する。
【０２９２】
以下、図１６のフローチャートを参照して、携帯型端末装置１４によるアンケート情報取得処理、データセンタ１２によるアンケート情報送信処理、および入力端末装置１５による集計結果受信処理について説明する。
【０２９３】
なお、例えば携帯型端末装置１４によるアンケート情報取得処理は、図９を参照して説明した通知取得処理と同様のタイミングで開始される。
【０２９４】
アンケート情報取得処理が開始されると、ステップＳ２３１乃至ステップＳ２３５の処理が行われてアンケート情報取得処理が終了するが、これらの処理は図１１のステップＳ１１１乃至ステップＳ１１５の処理と同様であるので、その説明は省略する。
【０２９５】
また、携帯型端末装置１４によるアンケート情報取得処理に応じて、データセンタ１２によるアンケート情報送信処理が行われる。なお、アンケート情報送信処理におけるステップＳ２４１乃至ステップＳ２４６の処理は、図１１のステップＳ１２１乃至ステップＳ１２６の処理と同様であるので、その説明は省略する。
【０２９６】
ステップＳ２４６の処理によりアンケートの集計処理が行われると、集計処理部６４は、集計処理により得られた集計結果を通信部５１に供給する。
【０２９７】
ステップＳ２４７において、通信部５１は、集計処理部６４から供給された集計結果を、通信網１６を介して入力端末装置１５に送信し、アンケート情報送信処理は終了する。
【０２９８】
また、ステップＳ２５１において、入力端末装置１５の通信部１２１は、データセンタ１２から送信されてきた集計結果を受信して制御部１２３に供給する。
【０２９９】
制御部１２３は、通信部１２１から供給されたアンケートの集計結果を記録部１２５に供給して記録させたり、表示部１２４に供給して表示させたりする。このようにして入力端末装置１５に集計結果が供給されると、集計結果受信処理は終了する。
【０３００】
以上のようにして携帯型端末装置１４は、適切なタイミングでデータセンタ１２からアンケート情報を取得して、取得したアンケート情報を表示させるとともに回答情報を生成して送信する。また、データセンタ１２は、携帯型端末装置１４から受信した回答情報に基づいてアンケートの集計処理を行い、入力端末装置１５に送信する。これにより、正確性と匿名性を両立させたアンケートを実施することができる。
【０３０１】
なお、アンケート情報取得処理においても、アンケート情報を表示させるタイミングや、回答情報を生成するタイミングは必ずしもアンケート情報の受信直後でなくてもよい。
アンケート情報の送信もプッシュ形式で行われるようにしてもよいし、加盟店システム１１にアンケート情報が送信されるようにしてもよい。
【０３０２】
また、アンケート情報を表示させる場合には、携帯型端末装置１４等に記録されている個人情報を用いてアンケートに氏名等を表示させるようにしてもよい。さらに、アンケート情報の送信時または表示時において、アンケート情報を受信する携帯型端末装置１４の表示画面（表示部）の大きさや、携帯型端末装置１４自体の大きさに応じて、表示させるアンケートの設問項目数を増減させるなど、アンケート項目を変動させるようにしてもよい。
【０３０３】
以上のように本技術を適用した情報処理システムによれば、正確性と匿名性を両立させた通知やアンケートを実現することができる。
【０３０４】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のパーソナルコンピュータなどが含まれる。
【０３０５】
図１７は、上述した一連の処理をプログラムにより実行するコンピュータのハードウェアの構成例を示すブロック図である。
【０３０６】
コンピュータにおいて、CPU（Central Processing Unit）５０１，ROM（Read Only Memory）５０２，RAM（Random Access Memory）５０３は、バス５０４により相互に接続されている。
【０３０７】
バス５０４には、さらに、入出力インターフェース５０５が接続されている。入出力インターフェース５０５には、入力部５０６、出力部５０７、記録部５０８、通信部５０９、及びドライブ５１０が接続されている。
【０３０８】
入力部５０６は、キーボード、マウス、マイクロフォン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブル記録媒体５１１を駆動する。
【０３０９】
以上のように構成されるコンピュータでは、CPU５０１が、例えば、記録部５０８に記録されているプログラムを、入出力インターフェース５０５及びバス５０４を介して、RAM５０３にロードして実行することにより、上述した一連の処理が行われる。
【０３１０】
コンピュータ（CPU５０１）が実行するプログラムは、例えば、パッケージメディア等としてのリムーバブル記録媒体５１１に記録して提供することができる。また、プログラムは、ローカルエリアネットワーク、インターネット、デジタル衛星放送といった、有線または無線の伝送媒体を介して提供することができる。
【０３１１】
コンピュータでは、プログラムは、リムーバブル記録媒体５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ROM５０２や記録部５０８に、あらかじめインストールしておくことができる。
【０３１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０３１３】
また、本技術の実施の形態は、上述した実施の形態に限定されるものではなく、本技術の要旨を逸脱しない範囲において種々の変更が可能である。
【０３１４】
例えば、本技術は、１つの機能をネットワークを介して複数の装置で分担、共同して処理するクラウドコンピューティングの構成をとることができる。
【０３１５】
また、上述のフローチャートで説明した各ステップは、１つの装置で実行する他、複数の装置で分担して実行することができる。
【０３１６】
さらに、１つのステップに複数の処理が含まれる場合には、その１つのステップに含まれる複数の処理は、１つの装置で実行する他、複数の装置で分担して実行することができる。
【０３１７】
さらに、本技術は、以下の構成とすることも可能である。
【０３１８】
（１）
情報を送信および受信する通信部と、
互いに対応付けられた、ユーザを識別する個人識別情報と前記ユーザの薬歴情報とを含む対象者情報を記録する記録部と、
制御部とを有し、
前記制御部は、
前記対象者情報および選別情報に基づいて送信情報の送信対象とする前記ユーザを抽出し、
前記通信部により、抽出された前記ユーザに対応する端末装置に前記送信情報を送信するよう制御する
情報処理装置。
（２）
前記送信情報は、通知情報またはアンケート情報である
（１）に記載の情報処理装置。
（３）
前記対象者情報には、前記ユーザ自身に関する情報が含まれている
（１）または（２）に記載の情報処理装置。
（４）
前記ユーザ自身に関する情報は、前記ユーザの誕生年または性別である
（３）に記載の情報処理装置。
（５）
前記薬歴情報には、処方箋交付医療機関名、処方箋交付日、処方薬の名称、調剤日、処方日数、服用方法、または服用量が含まれる
（１）乃至（４）の何れか一項に記載の情報処理装置。
（６）
前記記録部は、前記ユーザが前記送信情報の受信を希望するか否かを示す設定情報をさらに記録し、
前記制御部は、前記設定情報、前記対象者情報、および前記選別情報に基づいて前記ユーザを抽出する
（１）乃至（５）の何れか一項に記載の情報処理装置。
（７）
前記選別情報は、所定期間内に特定の薬剤を服用した前記ユーザを抽出条件とする情報である
（１）乃至（６）の何れか一項に記載の情報処理装置。
（８）
前記選別情報は、所定年数内に特定の薬局または医療機関を利用した前記ユーザを抽出条件とする情報である
（１）乃至（６）の何れか一項に記載の情報処理装置。
（９）
前記選別情報は、特定の薬剤の服用を開始してから所定日数が経過した前記ユーザを抽出条件とする情報である
（１）乃至（６）の何れか一項に記載の情報処理装置。
（１０）
前記選別情報には、カテゴリごとの抽出人数を指定する情報が含まれている
（１）乃至（９）の何れか一項に記載の情報処理装置。
（１１）
前記制御部は、前記通信部により前記送信情報としてのアンケート情報を送信した場合、前記通信部により前記アンケート情報に対する回答情報を前記端末装置から受信するよう制御する
（１）乃至（１０）の何れか一項に記載の情報処理装置。
（１２）
前記制御部は、前記回答情報に基づいて集計処理をさらに行う
（１１）に記載の情報処理装置。
（１３）
前記制御部は、入力端末装置により生成された前記送信情報を前記通信部により受信するよう制御する
（１）乃至（１２）の何れか一項に記載の情報処理装置。
（１４）
前記制御部は、前記通信部により、前記入力端末装置により生成された前記送信情報を管理者端末装置に送信するよう制御するとともに、前記送信情報を送信可能か否かを前記管理者端末装置に対して確認するよう要求する
（１３）に記載の情報処理装置。
（１５）
前記制御部は、前記通信部により前記選別情報を前記入力端末装置から受信した場合、前記通信部により、抽出された前記ユーザの数を前記入力端末装置に送信するよう制御する
（１３）または（１４）に記載の情報処理装置。
（１６）
情報を送信および受信する通信部と、
互いに対応付けられた、ユーザを識別する個人識別情報と前記ユーザの薬歴情報とを含む対象者情報を記録する記録部と、
制御部とを有する情報処理装置の情報処理方法であって、
前記制御部が、
前記対象者情報および選別情報に基づいて送信情報の送信対象とする前記ユーザを抽出し、
前記通信部により、抽出された前記ユーザに対応する端末装置に前記送信情報を送信するよう制御する
ステップを含む情報処理方法。
（１７）
情報を送信および受信する通信部と、
互いに対応付けられた、ユーザを識別する個人識別情報と前記ユーザの薬歴情報とを含む対象者情報を記録する記録部とを有する情報処理装置を制御するコンピュータに、
前記対象者情報および選別情報に基づいて送信情報の送信対象とする前記ユーザを抽出し、
前記通信部により、抽出された前記ユーザに対応する端末装置に前記送信情報を送信するよう制御する
ステップを含む処理を実行させるプログラム。
（１８）
送信情報および選別情報を生成する入力端末装置と、前記送信情報を送信する薬歴管理装置とを有する情報処理システムであって、
前記入力端末装置は、
情報を送信および受信する第１の通信部と、
前記送信情報および前記選別情報を生成する第１の制御部と
を有し、
前記薬歴管理装置は、
情報を送信および受信する第２の通信部と、
互いに対応付けられた、ユーザを識別する個人識別情報と前記ユーザの薬歴情報とを含む対象者情報を記録する記録部と、
第２の制御部と
を有し、
前記第１の制御部は、前記第１の通信部により前記送信情報および前記選別情報を前記薬歴管理装置に送信するよう制御し、
前記第２の制御部は、
前記第２の通信部により前記送信情報および前記選別情報を受信するよう制御し、
前記対象者情報および前記選別情報に基づいて前記送信情報の送信対象とする前記ユーザを抽出し、
前記第２の通信部により、抽出された前記ユーザに対応する端末装置に前記送信情報を送信するよう制御する
情報処理システム。
【符号の説明】
【０３１９】
１１  加盟店システム，  １２  データセンタ，  １４  携帯型端末装置，  １５  入力端末装置，  ５１  通信部，  ５２  制御部，  ５３  記録部，  ６１  対象者抽出部，  ６２  通知情報管理部，  ６３  アンケート情報管理部，  ６４  集計処理部，  ９１  通信部，  ９２  入力部，  ９３  制御部，  ２０１  管理者端末装置，  ２３１  通信部，  ２３２  入力部，  ２３３  制御部
【図１】
2020187789.tif 000003
【図２】
2020187789.tif 000004
【図３】
2020187789.tif 000005
【図４】
2020187789.tif 000006
【図５】
2020187789.tif 000007
【図６】
2020187789.tif 000008
【図７】
2020187789.tif 000009
【図８】
2020187789.tif 000010
【図９】
2020187789.tif 000011
【図１０】
2020187789.tif 000012
【図１１】
2020187789.tif 000013
【図１２】
2020187789.tif 000014
【図１３】
2020187789.tif 000015
【図１４】
2020187789.tif 000016
【図１５】
2020187789.tif 000017
【図１６】
2020187789.tif 000018
【図１７】
2020187789.tif 000019
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
ユーザを識別する個人識別情報と前記ユーザの薬歴情報とを含む対象者情報、および選別情報に基づいて送信情報の送信対象とするユーザを抽出する制御部と、
抽出された前記ユーザに対応する端末装置に前記送信情報を送信する通信部と
を備え、
前記選別情報は、特定の薬剤の処方若しくは服用に関する情報、または特定の薬局若しくは医療機関の利用に関する情報を含む
情報処理装置。
【請求項２】
前記対象者情報には、前記ユーザ自身に関する情報が含まれている
請求項１に記載の情報処理装置。
【請求項３】
前記ユーザ自身に関する情報は、前記ユーザの誕生年または性別である
請求項２に記載の情報処理装置。
【請求項４】
前記薬歴情報には、処方箋交付医療機関名、処方箋交付日、処方薬の名称、調剤日、処方日数、服用方法、または服用量が含まれる
請求項１乃至請求項３の何れか一項に記載の情報処理装置。
【請求項５】
前記特定の薬剤の処方若しくは服用に関する情報は、所定期間内に特定の薬剤を服用した前記ユーザを抽出条件とする情報、または特定の薬剤の服用を開始してから所定期間が経過した前記ユーザを抽出条件とする情報を含む
請求項１乃至請求項４の何れか一項に記載の情報処理装置。
【請求項６】
前記特定の薬局若しくは医療機関の利用に関する情報は、所定期間内に特定の薬局または医療機関を利用した前記ユーザを抽出条件とする情報を含む
請求項１乃至請求項４の何れか一項に記載の情報処理装置。
【請求項７】
前記送信情報は、服薬、運動、食事若しくは症状に関する情報またはヘルスケア情報の記録を指示または促す情報を含む
請求項１乃至請求項６の何れか一項に記載の情報処理装置。
【請求項８】
前記通信部は、前記送信情報に対する回答情報を前記端末装置から受信する
請求項１乃至請求項７の何れか一項に記載の情報処理装置。
【請求項９】
前記回答情報は、服薬、運動、食事若しくは症状に関する情報またはヘルスケア情報を含む
請求項８に記載の情報処理装置。
【請求項１０】
前記特定の薬剤の処方若しくは服用に関する情報は、所定期間内に禁煙治療薬を服用した前記ユーザを抽出条件とする情報であり、
前記送信情報は、禁煙に伴う不快な症状に関する情報または症状を緩和するための情報である
請求項１に記載の情報処理装置。
【請求項１１】
前記特定の薬剤の処方若しくは服用に関する情報は、精神疾患に対しての薬の服用を開始してから所定期間が経過した前記ユーザを抽出条件とする情報であり、
前記回答情報は、症状に関する情報である
請求項９に記載の情報処理装置。
【請求項１２】
情報処理装置が、
ユーザを識別する個人識別情報と前記ユーザの薬歴情報とを含む対象者情報、および選別情報に基づいて送信情報の送信対象とするユーザを抽出し、
抽出された前記ユーザに対応する端末装置に前記送信情報を送信する
ステップを含み、
前記選別情報は、特定の薬剤の処方若しくは服用に関する情報、または特定の薬局若しくは医療機関の利用に関する情報を含む
情報処理方法。
【請求項１３】
端末装置と情報処理装置とを有する情報処理システムであって、
前記情報処理装置は、
ユーザを識別する個人識別情報と前記ユーザの薬歴情報とを含む対象者情報、および選別情報に基づいて送信情報の送信対象とするユーザを抽出する制御部と、
抽出された前記ユーザに対応する前記端末装置に前記送信情報を送信する第１の通信部と
を備え、
前記選別情報は、特定の薬剤の処方若しくは服用に関する情報、または特定の薬局若しくは医療機関の利用に関する情報を含み、
前記端末装置は、前記送信情報を受信する第２の通信部を備える
情報処理システム。
【手続補正３】
【補正対象書類名】明細書
【補正対象項目名】０００１
【補正方法】変更
【補正の内容】
【０００１】
本技術は情報処理装置および方法、並びに情報処理システムに関し、特に、匿名性と正確性を両立させることができるようにした情報処理装置および方法、並びに情報処理システムに関する。
【手続補正４】
【補正対象書類名】明細書
【補正対象項目名】００１３
【補正方法】変更
【補正の内容】
【００１３】
本技術の第１の側面の情報処理装置は、ユーザを識別する個人識別情報と前記ユーザの薬歴情報とを含む対象者情報、および選別情報に基づいて送信情報の送信対象とするユーザを抽出する制御部と、抽出された前記ユーザに対応する端末装置に前記送信情報を送信する通信部とを備え、前記選別情報は、特定の薬剤の処方若しくは服用に関する情報、または特定の薬局若しくは医療機関の利用に関する情報を含む。
【手続補正５】
【補正対象書類名】明細書
【補正対象項目名】００１４
【補正方法】変更
【補正の内容】
【００１４】
本技術の第１の側面の情報処理方法は、情報処理装置が、ユーザを識別する個人識別情報と前記ユーザの薬歴情報とを含む対象者情報、および選別情報に基づいて送信情報の送信対象とするユーザを抽出し、抽出された前記ユーザに対応する端末装置に前記送信情報を送信するステップを含み、前記選別情報は、特定の薬剤の処方若しくは服用に関する情報、または特定の薬局若しくは医療機関の利用に関する情報を含む。
【手続補正６】
【補正対象書類名】明細書
【補正対象項目名】００１５
【補正方法】変更
【補正の内容】
【００１５】
本技術の第１の側面においては、ユーザを識別する個人識別情報と前記ユーザの薬歴情報とを含む対象者情報、および選別情報に基づいて送信情報の送信対象とするユーザが抽出され、抽出された前記ユーザに対応する端末装置に前記送信情報が送信される。また、前記選別情報には、特定の薬剤の処方若しくは服用に関する情報、または特定の薬局若しくは医療機関の利用に関する情報が含まれる。
【手続補正７】
【補正対象書類名】明細書
【補正対象項目名】００１６
【補正方法】変更
【補正の内容】
【００１６】
本技術の第２の側面の情報処理システムは、端末装置と情報処理装置とを有する情報処理システムであって、前記情報処理装置は、ユーザを識別する個人識別情報と前記ユーザの薬歴情報とを含む対象者情報、および選別情報に基づいて送信情報の送信対象とするユーザを抽出する制御部と、抽出された前記ユーザに対応する前記端末装置に前記送信情報を送信する第１の通信部とを備え、前記選別情報は、特定の薬剤の処方若しくは服用に関する情報、または特定の薬局若しくは医療機関の利用に関する情報を含み、前記端末装置は、前記送信情報を受信する第２の通信部を備える。
【手続補正８】
【補正対象書類名】明細書
【補正対象項目名】００１７
【補正方法】変更
【補正の内容】
【００１７】
本技術の第２の側面の情報処理システムにおいては、情報処理装置により、ユーザを識別する個人識別情報と前記ユーザの薬歴情報とを含む対象者情報、および選別情報に基づいて送信情報の送信対象とするユーザが抽出され、抽出された前記ユーザに対応する端末装置に前記送信情報が送信される。また、前記選別情報には、特定の薬剤の処方若しくは服用に関する情報、または特定の薬局若しくは医療機関の利用に関する情報が含まれ、前記端末装置により、前記送信情報が受信される。